(57)【特許請求の範囲】
【請求項１】
ＷＴＲＵ（ｗｉｒｅｌｅｓｓ  ｔｒａｎｓｍｉｔ／ｒｅｃｅｉｖｅ  ｕｎｉｔ）であって、
少なくとも１つの第２のＷＴＲＵから、前記少なくとも１つの第２のＷＴＲＵに関連付けられているグループＩＤ（ｉｄｅｎｔｉｆｉｃａｔｉｏｎ）を示すプリアンブルを受信し、
前記少なくとも１つの第２のＷＴＲＵから、ＰＩ（ｐａｇｉｎｇ  ｉｎｄｉｃａｔｏｒ）、ならびにＩ−ＮＣＩ（ｉｎｉｔｉａｌ  ＮＣＩ）サブパケットおよびＳ−ＮＣＩ（ｓｕｐｐｌｅｍｅｎｔａｌ  ＮＣＩ）サブパケットを含むＮＣＩ（ｎｅｔｗｏｒｋ  ｃｏｎｆｉｇｕｒａｔｉｏｎ  ｉｎｆｏｒｍａｔｉｏｎ）メッセージを含むメッセージを受信し、前記Ｉ−ＮＣＩサブパケットが前記Ｓ−ＮＣＩサブパケットに関するリソースインデックスを含み、前記Ｓ−ＮＣＩサブパケットがカバレッジ拡張レンジングのために割り当てられる複数のＲＰコードを含む
ように構成された受信機と、
前記受信されたＰＩが前記ＷＴＲＵに関連付けられているＩＤを含むという条件において、前記受信されたＮＣＩメッセージに基づいて、レンジングプリアンブルを前記少なくとも１つの第２のＷＴＲＵへ送信するように構成された送信機であって、前記レンジングプリアンブルは、前記少なくとも１つの第２のＷＴＲＵに関連付けられているグループＩＤを含む、送信機と、
を備えることを特徴とするＷＴＲＵ。
【請求項２】
前記プリアンブルは、ＳＡ（ｓｅｃｏｎｄａｒｙ  ａｄｖａｎｃｅｄ）プリアンブルであることを特徴とする請求項１に記載のＷＴＲＵ。
【請求項３】
前記受信機は、前記ＷＴＲＵに関連付けられている前記ＰＩを示す構成メッセージを受信するようにさらに構成されたことを特徴とする請求項１に記載のＷＴＲＵ。
【請求項４】
前記送信機は、送信パワーランピング手順を使用して前記レンジングプリアンブルを送信するようにさらに構成されたことを特徴とする請求項１に記載のＷＴＲＵ。
【請求項５】
前記受信機は、第２のＮＣＩメッセージを前記少なくとも１つの第２のＷＴＲＵから受信するようにさらに構成され、前記第２のＮＣＩメッセージは、送信側ＷＴＲＵに関連付けられているＷＴＲＵ  ＩＤを含むことを特徴とする請求項１に記載のＷＴＲＵ。
【請求項６】
前記送信機は、前記受信された第２のＮＣＩメッセージに応答して、第２のレンジングプリアンブルを、前記ＷＴＲＵ  ＩＤに関連付けられている前記ＷＴＲＵへ送信するようにさらに構成されたことを特徴とする請求項５に記載のＷＴＲＵ。
【請求項７】
前記第２のレンジングプリアンブルは、前記送信側ＷＴＲＵに関連付けられている前記ＷＴＲＵ  ＩＤを示すことを特徴とする請求項６に記載のＷＴＲＵ。
【請求項８】
ＷＴＲＵ（ｗｉｒｅｌｅｓｓ  ｔｒａｎｓｍｉｔ／ｒｅｃｅｉｖｅ  ｕｎｉｔ）において使用する方法であって、
少なくとも１つの第２のＷＴＲＵから、前記少なくとも１つの第２のＷＴＲＵに関連付けられているグループＩＤ（ｉｄｅｎｔｉｆｉｃａｔｉｏｎ）を示すプリアンブルを受信するステップと、
前記少なくとも１つの第２のＷＴＲＵから、ＰＩ（ｐａｇｉｎｇ  ｉｎｄｉｃａｔｏｒ）を含むメッセージを受信するステップと、
前記少なくとも１つの第２のＷＴＲＵから、ＮＣＩ（ｎｅｔｗｏｒｋ  ｃｏｎｆｉｇｕｒａｔｉｏｎ  ｉｎｆｏｒｍａｔｉｏｎ）メッセージを受信するステップであって、前記ＮＣＩメッセージがＩ−ＮＣＩ（ｉｎｉｔｉａｌ  ＮＣＩ）サブパケットおよびＳ−ＮＣＩ（ｓｕｐｐｌｅｍｅｎｔａｌ  ＮＣＩ）サブパケットを含み、前記Ｉ−ＮＣＩサブパケットが前記Ｓ−ＮＣＩサブパケットに関するリソースインデックスを含み、前記Ｓ−ＮＣＩサブパケットがカバレッジ拡張レンジングのために割り当てられる複数のＲＰコードを含む、ステップと、
前記受信されたＰＩが前記ＷＴＲＵに関連付けられているＩＤを含むという条件において、前記ＮＣＩメッセージに基づいて、レンジングプリアンブルを前記少なくとも１つの第２のＷＴＲＵへ送信するステップであって、前記レンジングプリアンブルは、前記少なくとも１つの第２のＷＴＲＵに関連付けられているグループＩＤを含む、ステップと、
を含むことを特徴とする方法。
【請求項９】
前記プリアンブルは、ＳＡ（ｓｅｃｏｎｄａｒｙ  ａｄｖａｎｃｅｄ）プリアンブルであることを特徴とする請求項８に記載の方法。
【請求項１０】
前記ＷＴＲＵに関連付けられている前記ＰＩを示す構成メッセージを受信するステップをさらに含むことを特徴とする請求項８に記載の方法。
【請求項１１】
前記レンジングプリアンブルは、送信パワーランピング手順を使用して送信されることを特徴とする請求項８に記載の方法。
【請求項１２】
第２のＮＣＩメッセージを前記少なくとも１つの第２のＷＴＲＵから受信するステップであって、前記第２のＮＣＩメッセージは、送信側ＷＴＲＵに関連付けられているＷＴＲＵ  ＩＤを含む、ステップをさらに含むことを特徴とする請求項８に記載の方法。
【請求項１３】
前記第２のＮＣＩメッセージを受信したことに応答して、第２のレンジングプリアンブルを、前記ＷＴＲＵ  ＩＤに関連付けられている前記ＷＴＲＵへ送信するステップをさらに含むことを特徴とする請求項１２に記載の方法。
【請求項１４】
前記第２のレンジングプリアンブルは、前記送信側ＷＴＲＵに関連付けられている前記ＷＴＲＵ  ＩＤを示すことを特徴とする請求項１３に記載の方法。
【請求項１５】
ＷＴＲＵ（ｗｉｒｅｌｅｓｓ  ｔｒａｎｓｍｉｔ／ｒｅｃｅｉｖｅ  ｕｎｉｔ）であって、
前記ＷＴＲＵに関連付けられているグループＩＤ（ｉｄｅｎｔｉｆｉｃａｔｉｏｎ）を示すプリアンブルを送信し、
ＰＩ（ｐａｇｉｎｇ  ｉｎｄｉｃａｔｏｒ）を含むメッセージを送信し、
ＮＣＩ（ｎｅｔｗｏｒｋ  ｃｏｎｆｉｇｕｒａｔｉｏｎ  ｉｎｆｏｒｍａｔｉｏｎ）メッセージを送信し、前記ＮＣＩメッセージがＩ−ＮＣＩ（ｉｎｉｔｉａｌ  ＮＣＩ）サブパケットおよびＳ−ＮＣＩ（ｓｕｐｐｌｅｍｅｎｔａｌ  ＮＣＩ）サブパケットを含み、前記Ｉ−ＮＣＩサブパケットは前記Ｓ−ＮＣＩサブパケットに関するリソースインデックスを含み、前記Ｓ−ＮＣＩサブパケットはカバレッジ拡張レンジングのために割り当てられる複数のＲＰコードを含む
ように構成された送信機と、
レンジングプリアンブルを受信するように構成された受信機であって、前記レンジングプリアンブルは、前記ＷＴＲＵに関連付けられているグループＩＤを含む、受信機と、
を備えることを特徴とするＷＴＲＵ。
【請求項１６】
前記プリアンブルは、ＳＡ（ｓｅｃｏｎｄａｒｙ  ａｄｖａｎｃｅｄ）プリアンブルであることを特徴とする請求項１５に記載のＷＴＲＵ。
【請求項１７】
前記送信機は、第２のＮＣＩメッセージを送信するようにさらに構成され、前記第２のＮＣＩメッセージは、前記ＷＴＲＵに関連付けられているＷＴＲＵ  ＩＤを含むことを特徴とする請求項１５に記載のＷＴＲＵ。
【請求項１８】
前記受信機は、前記第２のＮＣＩメッセージに応答して、第２のレンジングプリアンブルを受信するようにさらに構成されたことを特徴とする請求項１７に記載のＷＴＲＵ。
【請求項１９】
前記第２のレンジングプリアンブルは、前記ＷＴＲＵに関連付けられている前記ＷＴＲＵ  ＩＤを示すことを特徴とする請求項１８に記載のＷＴＲＵ。
【発明の詳細な説明】
【技術分野】
【０００１】
本発明は、無線通信技術に関する。
【０００２】
関連出願の相互参照
本出願は、２０１１年１月１０日に出願された米国特許仮出願第６１／４３１，４１３号明細書、および２０１１年８月１８日に出願された米国特許仮出願第６１／５２４，９４８号明細書の利益を主張するものであり、これらの仮出願の内容は、参照によって本明細書に組み込まれている。
【背景技術】
【０００３】
Ｍ２Ｍ（ｍａｃｈｉｎｅ  ｔｏ  ｍａｃｈｉｎｅ）またはＭＴＣ（ｍａｃｈｉｎｅ  ｔｙｐｅ  ｃｏｍｍｕｎｉｃａｔｉｏｎｓ）は、同義に使用することができ、また、マシンによって開始される、その他のマシンまたは人間とやり取りするための通信と定義することができる。適用可能なネットワークトポロジーは、ＷＴＲＵ（ｗｉｒｅｌｅｓｓ  ｔｒａｎｓｍｉｔ／ｒｅｃｅｉｖｅ  ｕｎｉｔ）からＷＴＲＵへの直接の通信を含むことができ、この通信は、カバレッジの拡張のために使用することができる。ＷＴＲＵからＷＴＲＵへの直接の通信は、ピアツーピア通信と呼ばれる場合がある。これらの通信は、接続のための代替パスを提供することによってネットワークの堅牢性を高めるために使用することができる。
【０００４】
典型的なセルラープロトコルにおいては、アイドル状態、接続されていない状態、または休眠状態にあるＷＴＲＵは、ＢＳ（ｂａｓｅ  ｓｔａｔｉｏｎ）またはＲＳ（ｒｅｌａｙ  ｓｔａｔｉｏｎ）をたまにモニタして、自分がデータ送信を求めてリッスンする必要があるかどうかを判定することができる。このプロセスは、ページングと呼ばれる場合がある。バッテリー消費を最小限に抑えてレンジを増やすために、ページング信号は、短くなるように設計することができる。
【０００５】
上で定義されたようなＭ２Ｍネットワークは、２つの点で典型的なセルラーネットワークとは異なる場合がある。第１に、一部のサブスクライバーは、ＢＳもしくはＲＳの送信をデコードするように構成されていない場合があり、またはＢＳもしくはＲＳの送信のレンジ外にいる場合がある。しかし、これらのサブスクライバーも、やはりカバーしなければならない。第２に、セル内のサブスクライバーの数が、非常に多くなることがある。
【０００６】
典型的なＭ２Ｍネットワークは、サブスクライバーステーションのグループに関するページングをサポートしない。したがって、Ｍ２Ｍネットワーク内のグループサブスクライバーステーションに関するページングをサポートするための方法および装置を有することが望ましいであろう。また、ＢＳまたはＲＳのレンジ外にあるＷＴＲＵへページを拡張することが望ましいであろう。また、一度に少量のデータを送るためのＭＡＣメッセージングによってもたらされる相対的なオーバーヘッドを減らすことが望ましいであろう。このオーバーヘッドは、その他のシグナリングとともに、ページングに関連付けられる場合がある。
【発明の概要】
【０００７】
ワイヤレス通信においてＷＴＲＵからＷＴＲＵへのページングを実行するための方法および装置を使用することができる。たとえば、ＷＴＲＵ（ｗｉｒｅｌｅｓｓ  ｔｒａｎｓｍｉｔ／ｒｅｃｅｉｖｅ  ｕｎｉｔ）は、別のＷＴＲＵをページングするように構成することができる。この例においては、ページングＷＴＲＵは、グループＩＤ（ｉｄｅｎｔｉｆｉｃａｔｉｏｎ）を示す第１のメッセージを受信することができる。ＷＴＲＵは、第２のメッセージを受信することができ、この第２のメッセージは、ページングＷＴＲＵがページングすることができる１つまたは複数のその他のＷＴＲＵを示すインジケータを含むことができる。受信されたインジケータが、ページングＷＴＲＵのページングインジケータに合致する場合には、ページングＷＴＲＵは、アクセス信号を１つまたは複数のその他のＷＴＲＵへ送信することができる。ページングＷＴＲＵのページングインジケータは、あらかじめ定めておくことができ、ＢＳ（ｂａｓｅ  ｓｔａｔｉｏｎ）からの構成メッセージ内に含めて受信することができる。第１のメッセージは、ＳＡ（ｓｅｃｏｎｄａｒｙ  ａｄｖａｎｃｅｄ）プリアンブルとすることができる。
【０００８】
ＷＴＲＵは、別のＷＴＲＵからのページを受信するように構成することができる。たとえば、ページングされるＷＴＲＵは、自分の割り当てられているページングインジケータのうちの１つまたは複数を検知すること、およびメッセージを１つまたは複数のその他のＷＴＲＵへ送信することが可能である。それらの１つまたは複数のその他のＷＴＲＵは、１つのグループに属することができ、送信されるメッセージは、そのグループを示すことができる。１つまたは複数の割り当てられているページングインジケータは、構成メッセージを介して、より早い時点でＢＳによって割り当てておくことができる。ページングされるＷＴＲＵは、応答が受信されるまで、送信されるメッセージに対して送信パワーランプアップ（ｒａｍｐ  ｕｐ）手順を使用することができる。
【０００９】
送信されたメッセージに応答して、ページングされるＷＴＲＵは、１つまたは複数のその他のＷＴＲＵからＡＣＫを受信することができる。そのＡＣＫは、グループベースのＡＣＫとすることができる。ＡＣＫの後には、ＷＴＲＵに関連付けられている複数のメッセージ（ＷＴＲＵ固有のメッセージ）が続くことができる。それらの複数のＷＴＲＵ固有のメッセージはそれぞれ、ＷＴＲＵ  ＩＤを示すインジケータを含むことができる。ページングされるＷＴＲＵは、応答しているＷＴＲＵのうちの１つとの関連付けを行うことを選択することができる。この選択は、受信されたインジケータに基づくことができる。ページングされるＷＴＲＵは、ネットワークアクセス信号を送信することができ、選択されたＷＴＲＵ  ＩＤを示すインジケータを含むことができる。
【図面の簡単な説明】
【００１０】
以降の説明から、より詳細な理解を得ることができ、以降の説明は、例として添付の図面とともに与えられている。
【図１Ａ】１つまたは複数の開示されている実施形態を実施することができる例示的な通信システムのシステム図である。
【図１Ｂ】図１Ａにおいて示されている通信システム内で使用することができる例示的なＷＴＲＵ（ｗｉｒｅｌｅｓｓ  ｔｒａｎｓｍｉｔ／ｒｅｃｅｉｖｅ  ｕｎｉｔ）のシステム図である。
【図１Ｃ】図１Ａにおいて示されている通信システム内で使用することができる例示的な無線アクセスネットワークおよび例示的なコアネットワークのシステム図である。
【図２】わかっているＷＴＲＵロケーションを伴う個別ページングを実行するための例示的な方法の流れ図である。
【図３】グループページングにおけるオーバーヘッドを減らすための例示的な方法の流れ図である。
【図４】例示的なＷＴＲＵ発見手順の流れ図である。
【図５】ユニキャスト接続に関するページングの一例の流れ図である。
【図６Ａ】別の例示的なページング手順の流れ図である。
【図６Ｂ】別の例示的なページング手順の流れ図である。
【図７】ＷＴＲＵにおいて使用するための例示的なページング方法の図である。
【図８】別の例示的なグループページング方法の図である。
【発明を実施するための形態】
【００１１】
以降で言及する際には、「ＷＴＲＵ（ｗｉｒｅｌｅｓｓ  ｔｒａｎｓｍｉｔ／ｒｅｃｅｉｖｅ  ｕｎｉｔ）」という用語は、ＵＥ（ｕｓｅｒ  ｅｑｕｉｐｍｅｎｔ）、ＭＳ（ｍｏｂｉｌｅ  ｓｔａｔｉｏｎ）、およびＡＭＳ（ａｄｖａｎｃｅｄ  ｍｏｂｉｌｅ  ｓｔａｔｉｏｎ）、ＨＲ（ｈｉｇｈ  ｒｅｌｉａｂｉｌｉｔｙ）−ＭＳ、固定式もしくは移動式のサブスクライバーユニット、ページャー、セルラー電話、ＰＤＡ（ｐｅｒｓｏｎａｌ  ｄｉｇｉｔａｌ  ａｓｓｉｓｔａｎｔ）、コンピュータ、または、ワイヤレス環境において機能することができるその他の任意のタイプのユーザデバイスを含むことができるが、それらには限定されない。ＷＴＲＵとは、非インフラストラクチャー型のノード（ｎｏｎ−ｉｎｆｒａｓｔｒｕｃｔｕｒｅ  ｎｏｄｅ）であると言える。以降で言及する際には、「探索側のＷＴＲＵ」という用語は、ピアを発見してピアへの関連付けを行おうとしているＷＴＲＵを含むが、それには限定されない。以降で言及する際には、「発見可能なＷＴＲＵ」という用語は、探索側のＷＴＲＵによって発見されることが可能であるＷＴＲＵを含むが、それには限定されない。
【００１２】
以降で言及する際には、「ＢＳ（ｂａｓｅ  ｓｔａｔｉｏｎ）」という用語は、Ｎｏｄｅ−Ｂ、ＡＢＳ（ａｄｖａｎｃｅｄ  ｂａｓｅ  ｓｔａｔｉｏｎ）、ＨＲ−ＢＳ、サイトコントローラ、ＡＰ（ａｃｃｅｓｓ  ｐｏｉｎｔ）、または、ワイヤレス環境において機能することができるその他の任意のタイプのインターフェーシングデバイスを含むことができるが、それらには限定されない。
【００１３】
図１Ａは、１つまたは複数の開示されている実施形態を実施することができる例示的な通信システム１００を示している。通信システム１００は、コンテンツ、たとえば音声、データ、ビデオ、メッセージング、放送などを複数のワイヤレスユーザに提供するマルチプルアクセスシステムとすることができる。通信システム１００は、複数のワイヤレスユーザが、ワイヤレス帯域幅を含むシステムリソースの共有を通じてそのようなコンテンツにアクセスすることを可能にすることができる。たとえば、通信システム１００は、１つまたは複数のチャネルアクセス方法、たとえばＣＤＭＡ（ｃｏｄｅ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ＦＤＭＡ）、ＳＣ−ＦＤＭＡ（ｓｉｎｇｌｅ−ｃａｒｒｉｅｒ  ＦＤＭＡ）などを採用することができる。
【００１４】
図１Ａにおいて示されているように、通信システム１００は、ＷＴＲＵ１０２ａ、１０２ｂ、１０２ｃ、１０２ｄ、ＲＡＮ（ｒａｄｉｏ  ａｃｃｅｓｓ  ｎｅｔｗｏｒｋ）１０４、コアネットワーク１０６、ＰＳＴＮ（ｐｕｂｌｉｃ  ｓｗｉｔｃｈｅｄ  ｔｅｌｅｐｈｏｎｅ  ｎｅｔｗｏｒｋ）１０８、インターネット１１０、およびその他のネットワーク１１２を含むことができるが、開示されている実施形態では、任意の数のＷＴＲＵ、ＢＳ（ｂａｓｅ  ｓｔａｔｉｏｎ）、ネットワーク、および／またはネットワーク要素が考えられるということがわかるであろう。ＷＴＲＵ１０２ａ、１０２ｂ、１０２ｃ、１０２ｄのそれぞれは、ワイヤレス環境において動作および／または通信を行うように構成されている任意のタイプのデバイスとすることができる。例として、ＷＴＲＵ１０２ａ、１０２ｂ、１０２ｃ、１０２ｄは、ワイヤレス信号を送信および／または受信するように構成することができ、ＵＥ（ｕｓｅｒ  ｅｑｕｉｐｍｅｎｔ）、移動局、固定式または移動式のサブスクライバーユニット、ページャー、セルラー電話、ＰＤＡ（ｐｅｒｓｏｎａｌ  ｄｉｇｉｔａｌ  ａｓｓｉｓｔａｎｔ）、スマートフォン、ラップトップ、ネットブック、パーソナルコンピュータ、ワイヤレスセンサ、家庭用電化製品などを含むことができる。
【００１５】
通信システム１００は、基地局１１４ａおよび基地局１１４ｂを含むこともできる。基地局１１４ａ、１１４ｂのそれぞれは、コアネットワーク１０６、インターネット１１０、および／またはその他のネットワーク１１２などの１つまたは複数の通信ネットワークへのアクセスを容易にするために、ＷＴＲＵ１０２ａ、１０２ｂ、１０２ｃ、１０２ｄのうちの少なくとも１つとワイヤレスにインターフェースを取るように構成されている任意のタイプのデバイスとすることができる。例として、基地局１１４ａ、１１４ｂは、ＢＴＳ（ｂａｓｅ  ｔｒａｎｓｃｅｉｖｅｒ  ｓｔａｔｉｏｎ）、Ｎｏｄｅ−Ｂ、ｅＮＢ（ｅｖｏｌｖｅｄ  Ｎｏｄｅ−Ｂ）、ＨＮＢ（Ｈｏｍｅ  Ｎｏｄｅ−Ｂ）、ＨｅＮＢ（Ｈｏｍｅ  ｅＮＢ）、サイトコントローラ、ＡＰ（ａｃｃｅｓｓ  ｐｏｉｎｔ）、ワイヤレスルータなどとすることができる。基地局１１４ａ、１１４ｂは、それぞれ単一の要素として示されているが、基地局１１４ａ、１１４ｂは、任意の数の相互接続された基地局および／またはネットワーク要素を含むことができるということがわかるであろう。
【００１６】
基地局１１４ａは、ＲＡＮ１０４の一部とすることができ、ＲＡＮ１０４は、その他の基地局および／またはネットワーク要素（図示せず）、たとえばＢＳＣ（ｂａｓｅ  ｓｔａｔｉｏｎ  ｃｏｎｔｒｏｌｌｅｒ）、ＲＮＣ（ｒａｄｉｏ  ｎｅｔｗｏｒｋ  ｃｏｎｔｒｏｌｌｅｒ）、中継ノードなどを含むこともできる。基地局１１４ａおよび／または基地局１１４ｂは、特定の地理的領域内でワイヤレス信号を送信および／または受信するように構成することができ、この地理的領域は、セル（図示せず）と呼ばれることもある。セルは、複数のセルセクタへとさらに分割することができる。たとえば、基地局１１４ａに関連付けられているセルは、３つのセクタへと分割することができる。したがって一実施形態においては、基地局１１４ａは、３つのトランシーバ、すなわち、セルのそれぞれのセクタごとに１つのトランシーバを含むことができる。別の実施形態においては、基地局１１４ａは、ＭＩＭＯ（ｍｕｌｔｉｐｌｅ−ｉｎｐｕｔ  ｍｕｌｔｉｐｌｅ−ｏｕｔｐｕｔ）テクノロジーを採用することができ、したがって、セルのそれぞれのセクタごとに複数のトランシーバを利用することができる。
【００１７】
基地局１１４ａ、１１４ｂは、エアインターフェース１１６を介してＷＴＲＵ１０２ａ、１０２ｂ、１０２ｃ、１０２ｄのうちの１つまたは複数と通信することができ、エアインターフェース１１６は、任意の適切なワイヤレス通信リンク（たとえば、ＲＦ（ｒａｄｉｏ  ｆｒｅｑｕｅｎｃｙ）、マイクロ波、ＩＲ（ｉｎｆｒａｒｅｄ）、ＵＶ（ｕｌｔｒａｖｉｏｌｅｔ）、可視光など）とすることができる。エアインターフェース１１６は、任意の適切なＲＡＴ（ｒａｄｉｏ  ａｃｃｅｓｓ  ｔｅｃｈｎｏｌｏｇｙ）を使用して確立することができる。ＷＴＲＵ１０２ａ、１０２ｂ、１０２ｃ、および１０２ｄのそれぞれは、ページングメッセージ１１９を使用して、１つまたは複数のその他のＷＴＲＵをページングするように構成することができる。
【００１８】
より具体的には、上述したように、通信システム１００は、マルチプルアクセスシステムとすることができ、１つまたは複数のチャネルアクセススキーム、たとえばＣＤＭＡ、ＴＤＭＡ、ＦＤＭＡ、ＯＦＤＭＡ、ＳＣ−ＦＤＭＡなどを採用することができる。たとえば、ＲＡＮ１０４内の基地局１１４ａおよびＷＴＲＵ１０２ａ、１０２ｂ、１０２ｃは、ＵＴＲＡ（ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）ｔｅｒｒｅｓｔｒｉａｌ  ｒａｄｉｏ  ａｃｃｅｓｓ）などの無線テクノロジーを実施することができ、この無線テクノロジーは、ＷＣＤＭＡ（登録商標）（ｗｉｄｅｂａｎｄ  ＣＤＭＡ）を使用してエアインターフェース１１６を確立することができる。ＷＣＤＭＡは、ＨＳＰＡ（ｈｉｇｈ−ｓｐｅｅｄ  ｐａｃｋｅｔ  ａｃｃｅｓｓ）および／またはＨＳＰＡ＋（ｅｖｏｌｖｅｄ  ＨＳＰＡ）などの通信プロトコルを含むことができる。ＨＳＰＡは、ＨＳＤＰＡ（ｈｉｇｈ−ｓｐｅｅｄ  ＤＬ（ｄｏｗｎｌｉｎｋ）  ｐａｃｋｅｔ  ａｃｃｅｓｓ）および／またはＨＳＵＰＡ（ｈｉｇｈ−ｓｐｅｅｄ  ＵＬ（ｕｐｌｉｎｋ）  ｐａｃｋｅｔ  ａｃｃｅｓｓ）を含むことができる。
【００１９】
別の実施形態においては、基地局１１４ａおよびＷＴＲＵ１０２ａ、１０２ｂ、１０２ｃは、Ｅ−ＵＴＲＡ（ｅｖｏｌｖｅｄ  ＵＴＲＡ）などの無線テクノロジーを実施することができ、この無線テクノロジーは、ＬＴＥ（ｌｏｎｇ  ｔｅｒｍ  ｅｖｏｌｕｔｉｏｎ）および／またはＬＴＥ−Ａ（ＬＴＥ−Ａｄｖａｎｃｅｄ）を使用してエアインターフェース１１６を確立することができる。
【００２０】
その他の実施形態においては、基地局１１４ａおよびＷＴＲＵ１０２ａ、１０２ｂ、１０２ｃは、無線テクノロジー、たとえばＩＥＥＥ  ８０２．１６（すなわちＷｉＭＡＸ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ））、ＣＤＭＡ２０００、ＣＤＭＡ２０００  １Ｘ、ＣＤＭＡ２０００  ＥＶ−ＤＯ（ｅｖｏｌｕｔｉｏｎ−ｄａｔａ  ｏｐｔｉｍｉｚｅｄ）、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）、ＥＤＧＥ（ｅｎｈａｎｃｅｄ  ｄａｔａ  ｒａｔｅｓ  ｆｏｒ  ＧＳＭ  ｅｖｏｌｕｔｉｏｎ）、ＧＥＲＡＮ（ＧＳＭ／ＥＤＧＥ  ＲＡＮ）などを実施することができる。
【００２１】
図１Ａにおける基地局１１４ｂは、たとえばワイヤレスルータ、ＨＮＢ、ＨｅＮＢ、またはＡＰとすることができ、局所的なエリア、たとえば事業所、家庭、乗り物、キャンパスなどにおけるワイヤレス接続を容易にするために、任意の適切なＲＡＴを利用することができる。一実施形態においては、基地局１１４ｂおよびＷＴＲＵ１０２ｃ、１０２ｄは、ＷＬＡＮ（ｗｉｒｅｌｅｓｓ  ｌｏｃａｌ  ａｒｅａ  ｎｅｔｗｏｒｋ）を確立するために、ＩＥＥＥ  ８０２．１１などの無線テクノロジーを実施することができる。別の実施形態においては、基地局１１４ｂおよびＷＴＲＵ１０２ｃ、１０２ｄは、ＷＰＡＮ（ｗｉｒｅｌｅｓｓ  ｐｅｒｓｏｎａｌ  ａｒｅａ  ｎｅｔｗｏｒｋ）を確立するために、ＩＥＥＥ  ８０２．１５などの無線テクノロジーを実施することができる。さらに別の実施形態においては、基地局１１４ｂおよびＷＴＲＵ１０２ｃ、１０２ｄは、ピコセルまたはフェムトセルを確立するために、セルラーベースのＲＡＴ（たとえば、ＷＣＤＭＡ、ＣＤＭＡ２０００、ＧＳＭ、ＬＴＥ、ＬＴＥ−Ａなど）を利用することができる。図１Ａにおいて示されているように、基地局１１４ｂは、インターネット１１０への直接接続を有することができる。したがって、基地局１１４ｂは、コアネットワーク１０６を介してインターネット１１０にアクセスすることを不要とすることができる。
【００２２】
ＲＡＮ１０４は、コアネットワーク１０６と通信状態にあることが可能であり、コアネットワーク１０６は、音声、データ、アプリケーション、および／またはＶｏＩＰ（ｖｏｉｃｅ  ｏｖｅｒ  Ｉｎｔｅｒｎｅｔ  ｐｒｏｔｏｃｏｌ）サービスをＷＴＲＵ１０２ａ、１０２ｂ、１０２ｃ、１０２ｄのうちの１つまたは複数に提供するように構成されている任意のタイプのネットワークとすることができる。たとえば、コアネットワーク１０６は、コール制御、課金サービス、モバイルロケーションベースサービス、プリペイドコーリング、インターネット接続、ビデオ配信などを提供すること、および／またはユーザ認証などのハイレベルセキュリティー機能を実行することが可能である。図１Ａにおいては示されていないが、ＲＡＮ１０４および／またはコアネットワーク１０６は、ＲＡＮ１０４と同じＲＡＴまたは異なるＲＡＴを採用しているその他のＲＡＮと直接または間接の通信状態にあることが可能であるということがわかるであろう。たとえば、コアネットワーク１０６は、Ｅ−ＵＴＲＡ無線テクノロジーを利用している可能性があるＲＡＮ１０４に接続されていることに加えて、ＧＳＭ無線テクノロジーを採用している別のＲＡＮ（図示せず）と通信状態にあることも可能である。
【００２３】
コアネットワーク１０６は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとして機能することもできる。ＰＳＴＮ１０８は、ＰＯＴＳ（ｐｌａｉｎ  ｏｌｄ  ｔｅｌｅｐｈｏｎｅ  ｓｅｒｖｉｃｅ）を提供する回路交換電話ネットワークを含むことができる。インターネット１１０は、ＴＣＰ／ＩＰスイートにおけるＴＣＰ（ｔｒａｎｓｍｉｓｓｉｏｎ  ｃｏｎｔｒｏｌ  ｐｒｏｔｏｃｏｌ）、ＵＤＰ（ｕｓｅｒ  ｄａｔａｇｒａｍ  ｐｒｏｔｏｃｏｌ）、およびＩＰ（Ｉｎｔｅｒｎｅｔ  ｐｒｏｔｏｃｏｌ）など、共通の通信プロトコルを使用する相互接続されたコンピュータネットワークおよびデバイスからなるグローバルシステムを含むことができる。ネットワーク１１２は、その他のサービスプロバイダによって所有および／または運営されている有線またはワイヤレスの通信ネットワークを含むことができる。たとえば、ネットワーク１１２は、ＲＡＮ１０４と同じＲＡＴまたは異なるＲＡＴを採用している可能性がある１つまたは複数のＲＡＮに接続されている別のコアネットワークを含むことができる。
【００２４】
通信システム１００内のＷＴＲＵ１０２ａ、１０２ｂ、１０２ｃ、１０２ｄのうちのいくつかまたはすべては、マルチモード機能を含むことができ、すなわち、ＷＴＲＵ１０２ａ、１０２ｂ、１０２ｃ、１０２ｄは、別々のワイヤレスリンクを介して別々のワイヤレスネットワークと通信するために複数のトランシーバを含むことができる。たとえば、図１Ａにおいて示されているＷＴＲＵ１０２ｃは、セルラーベースの無線テクノロジーを採用している可能性がある基地局１１４ａ、およびＩＥＥＥ  ８０２無線テクノロジーを採用している可能性がある基地局１１４ｂと通信するように構成することができる。
【００２５】
図１Ｂは、図１Ａにおいて示されている通信システム１００内で使用することができる例示的なＷＴＲＵ１０２を示している。図１Ｂにおいて示されているように、ＷＴＲＵ１０２は、プロセッサ１１８、トランシーバ１２０、送信／受信要素（たとえば、アンテナ）１２２、スピーカー／マイクロフォン１２４、キーパッド１２６、ディスプレイ／タッチパッド１２８、取り外し不能メモリ１３０、取り外し可能メモリ１３２、電源１３４、ＧＰＳ（ｇｌｏｂａｌ  ｐｏｓｉｔｉｏｎｉｎｇ  ｓｙｓｔｅｍ）チップセット１３６、および周辺機器１３８を含むことができる。ＷＴＲＵ１０２は、一実施形態との整合性を保持しながら、上述の要素どうしの任意の下位組合せを含むことができるということがわかるであろう。
【００２６】
プロセッサ１１８は、汎用プロセッサ、専用プロセッサ、従来型プロセッサ、ＤＳＰ（ｄｉｇｉｔａｌ  ｓｉｇｎａｌ  ｐｒｏｃｅｓｓｏｒ）、マイクロプロセッサ、ＤＳＰコアと関連付けられている１つまたは複数のマイクロプロセッサ、コントローラ、マイクロコントローラ、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＦＰＧＡ（ｆｉｅｌｄ  ｐｒｏｇｒａｍｍａｂｌｅ  ｇａｔｅ  ａｒｒａｙ）回路、ＩＣ（ｉｎｔｅｇｒａｔｅｄ  ｃｉｒｃｕｉｔ）、状態マシンなどとすることができる。プロセッサ１１８は、信号コーディング、データ処理、電力制御、入力／出力処理、および／またはＷＴＲＵ１０２をワイヤレス環境内で機能できるようにするその他の任意の機能を実行することができる。プロセッサ１１８は、トランシーバ１２０に結合することができ、トランシーバ１２０は、送信／受信要素１２２に結合することができる。図１Ｂは、プロセッサ１１８とトランシーバ１２０を別々のコンポーネントとして示しているが、プロセッサ１１８とトランシーバ１２０は、１つの電子パッケージまたはチップ内に統合することができる。
【００２７】
送信／受信要素１２２は、エアインターフェース１１６を介して、基地局（たとえば、基地局１１４ａ）に信号を送信するように、または基地局（たとえば、基地局１１４ａ）から信号を受信するように構成することができる。たとえば、一実施形態においては、送信／受信要素１２２は、ＲＦ信号を送信および／または受信するように構成されているアンテナとすることができる。別の実施形態においては、送信／受信要素１２２は、たとえば、ＩＲ信号、ＵＶ信号、または可視光信号を送信および／または受信するように構成されているエミッタ／検知器とすることができる。さらに別の実施形態においては、送信／受信要素１２２は、ＲＦ信号と光信号との両方を送信および受信するように構成することができる。送信／受信要素１２２は、ワイヤレス信号の任意の組合せを送信および／または受信するように構成することができる。
【００２８】
加えて、送信／受信要素１２２は、図１Ｂにおいては単一の要素として示されているが、ＷＴＲＵ１０２は、任意の数の送信／受信要素１２２を含むことができる。より具体的には、ＷＴＲＵ１０２は、ＭＩＭＯテクノロジーを採用することができる。したがって、一実施形態においては、ＷＴＲＵ１０２は、エアインターフェース１１６を介してワイヤレス信号を送信および受信するために、複数の送信／受信要素１２２（たとえば、複数のアンテナ）を含むことができる。
【００２９】
トランシーバ１２０は、送信／受信要素１２２によって送信される信号を変調するように、また、送信／受信要素１２２によって受信される信号を復調するように構成することができる。上述したように、ＷＴＲＵ１０２は、マルチモード機能を有することができる。したがってトランシーバ１２０は、ＷＴＲＵ１０２が、たとえばＵＴＲＡおよびＩＥＥＥ  ８０２．１１など、複数のＲＡＴを介して通信できるようにするために複数のトランシーバを含むことができる。
【００３０】
ＷＴＲＵ１０２のプロセッサ１１８は、スピーカー／マイクロフォン１２４、キーパッド１２６、および／またはディスプレイ／タッチパッド１２８（たとえば、ＬＣＤ（ｌｉｑｕｉｄ  ｃｒｙｓｔａｌ  ｄｉｓｐｌａｙ）ディスプレイユニットまたはＯＬＥＤ（ｏｒｇａｎｉｃ  ｌｉｇｈｔ−ｅｍｉｔｔｉｎｇ  ｄｉｏｄｅ）ディスプレイユニット）に結合することができ、そこからユーザ入力データを受け取ることができる。プロセッサ１１８は、ユーザデータをスピーカー／マイクロフォン１２４、キーパッド１２６、および／またはディスプレイ／タッチパッド１２８へ出力することもできる。加えて、プロセッサ１１８は、取り外し不能メモリ１３０および／または取り外し可能メモリ１３２など、任意のタイプの適切なメモリからの情報にアクセスすること、およびそれらのメモリにデータを格納することが可能である。取り外し不能メモリ１３０は、ＲＡＭ（ｒａｎｄｏｍ−ａｃｃｅｓｓ  ｍｅｍｏｒｙ）、ＲＯＭ（ｒｅａｄ−ｏｎｌｙ  ｍｅｍｏｒｙ）、ハードディスク、またはその他の任意のタイプのメモリストレージデバイスを含むことができる。取り外し可能メモリ１３２は、ＳＩＭ（ｓｕｂｓｃｒｉｂｅｒ  ｉｄｅｎｔｉｔｙ  ｍｏｄｕｌｅ）カード、メモリスティック、ＳＤ（ｓｅｃｕｒｅ  ｄｉｇｉｔａｌ）メモリカードなどを含むことができる。その他の実施形態においては、プロセッサ１１８は、サーバまたはホームコンピュータ（図示せず）上など、ＷＴＲＵ１０２上に物理的に配置されていないメモリからの情報にアクセスすること、およびそのメモリにデータを格納することが可能である。
【００３１】
プロセッサ１１８は、電源１３４から電力を受け取ることができ、また、ＷＴＲＵ１０２内のその他のコンポーネントへの電力を分配および／または制御するように構成することができる。電源１３４は、ＷＴＲＵ１０２に電力供給するための任意の適切なデバイスとすることができる。たとえば、電源１３４は、１つまたは複数の乾電池（たとえばＮｉＣｄ（ｎｉｃｋｅｌ−ｃａｄｍｉｕｍ）、ＮｉＺｎ（ｎｉｃｋｅｌ−ｚｉｎｃ）、ＮｉＭＨ（ｎｉｃｋｅｌ  ｍｅｔａｌ  ｈｙｄｒｉｄｅ）、Ｌｉ−ｉｏｎ（ｌｉｔｈｉｕｍ−ｉｏｎ）など）、太陽電池、燃料電池などを含むことができる。
【００３２】
プロセッサ１１８は、ＧＰＳチップセット１３６に結合することもでき、ＧＰＳチップセット１３６は、ＷＴＲＵ１０２の現在位置に関する位置情報（たとえば、経度および緯度）を提供するように構成することができる。ＧＰＳチップセット１３６からの情報に加えて、またはその情報の代わりに、ＷＴＲＵ１０２は、基地局（たとえば、基地局１１４ａ、１１４ｂ）からエアインターフェース１１６を介して位置情報を受信すること、および／または複数の近隣の基地局から受信されている信号のタイミングに基づいて自分の位置を特定することが可能である。ＷＴＲＵ１０２は、一実施形態との整合性を保持しながら、任意の適切な位置特定方法を通じて位置情報を得ることができる。
【００３３】
プロセッサ１１８は、その他の周辺機器１３８にさらに結合することができ、その他の周辺機器１３８は、さらなる特徴、機能、および／または有線接続もしくはワイヤレス接続を提供する１つまたは複数のソフトウェアモジュールおよび／またはハードウェアモジュールを含むことができる。たとえば、周辺機器１３８は、加速度計、ｅ−コンパス、衛星トランシーバ、デジタルカメラ（写真またはビデオ用）、ＵＳＢ（ｕｎｉｖｅｒｓａｌ  ｓｅｒｉａｌ  ｂｕｓ）ポート、振動デバイス、テレビジョントランシーバ、ハンドフリーヘッドセット、Ｂｌｕｅｔｏｏｔｈ（登録商標）モジュール、ＦＭ（ｆｒｅｑｕｅｎｃｙ  ｍｏｄｕｌａｔｅｄ）ラジオユニット、デジタルミュージックプレーヤ、メディアプレーヤ、ビデオゲームプレーヤモジュール、インターネットブラウザなどを含むことができる。
【００３４】
図１Ｃは、図１Ａにおいて示されている通信システム１００内で使用することができる例示的なＲＡＮ１０４および例示的なコアネットワーク１０６を示している。ＲＡＮ１０４は、エアインターフェース１１６を介してＷＴＲＵ１０２ａ、１０２ｂ、１０２ｃと通信するためにＩＥＥＥ８０２．１６無線テクノロジーを採用しているＡＳＮ（ａｃｃｅｓｓ  ｓｅｒｖｉｃｅ  ｎｅｔｗｏｒｋ）とすることができる。
【００３５】
図１Ｃにおいて示されているように、ＲＡＮ１０４は、基地局１４０ａ、１４０ｂ、１４０ｃ、およびＡＳＮゲートウェイ１４２を含むことができるが、ＲＡＮ１０４は、一実施形態との整合性を保持しながら、任意の数の基地局およびＡＳＮゲートウェイを含むことができるということがわかるであろう。基地局１４０ａ、１４０ｂ、１４０ｃはそれぞれ、ＲＡＮ１０４内の特定のセル（図示せず）に関連付けることができ、エアインターフェース１１６を介してＷＴＲＵ１０２ａ、１０２ｂ、１０２ｃと通信するために１つまたは複数のトランシーバを含むことができる。一実施形態においては、基地局１４０ａ、１４０ｂ、１４０ｃは、ＭＩＭＯテクノロジーを実施することができる。したがって、基地局１４０ａは、たとえば、ＷＴＲＵ１０２ａにワイヤレス信号を送信するために、およびＷＴＲＵ１０２ａからワイヤレス信号を受信するために、複数のアンテナを使用することができる。基地局１４０ａ、１４０ｂ、１４０ｃは、モビリティーマネージメント機能、たとえば、ハンドオフのトリガリング、トンネルの確立、無線リソースマネージメント、トラフィックの分類、ＱｏＳ（ｑｕａｌｉｔｙ  ｏｆ  ｓｅｒｖｉｃｅ）ポリシーの実施などを提供することもできる。ＡＳＮゲートウェイ１４２は、トラフィック集約ポイントとして機能することができ、ページング、サブスクライバープロフィールのキャッシング、コアネットワーク１０６へのルーティングなどを担当することができる。
【００３６】
ＷＴＲＵ１０２ａ、１０２ｂ、１０２ｃと、ＲＡＮ１０４との間におけるエアインターフェース１１６は、ＩＥＥＥ８０２．１６仕様を実施することができる。加えて、ＷＴＲＵ１０２ａ、１０２ｂ、１０２ｃのそれぞれは、コアネットワーク１０６との論理インターフェース（図示せず）を確立することができる。ＷＴＲＵ１０２ａ、１０２ｂ、１０２ｃと、コアネットワーク１０６との間における論理インターフェースは、認証、許可、ＩＰホスト構成マネージメント（ＩＰ  ｈｏｓｔ  ｃｏｎｆｉｇｕｒａｔｉｏｎ  ｍａｎａｇｅｍｅｎｔ）、および／またはモビリティーマネージメントのために使用することができる。ＷＴＲＵ１０２ａ、１０２ｂ、および１０２ｃのそれぞれは、ページングメッセージ１１９を使用して、１つまたは複数のその他のＷＴＲＵをページングするように構成することができる。
【００３７】
基地局１４０ａ、１４０ｂ、１４０ｃのそれぞれの間における通信リンクは、ＷＴＲＵのハンドオーバ、および基地局どうしの間におけるデータの転送を容易にするためのプロトコルを含むことができる。基地局１４０ａ、１４０ｂ、１４０ｃと、ＡＳＮゲートウェイ１４２との間における通信リンクは、ＷＴＲＵ１０２ａ、１０２ｂ、１０２ｃのそれぞれに関連付けられているモビリティーイベントに基づいてモビリティーマネージメントを容易にするためのプロトコルを含むことができる。
【００３８】
図１Ｃにおいて示されているように、ＲＡＮ１０４は、コアネットワーク１０６に接続することができる。ＲＡＮ１０４と、コアネットワーク１０６との間における通信リンクは、たとえば、データ転送およびモビリティーマネージメント機能を容易にするためのプロトコルを含むことができる。コアネットワーク１０６は、ＭＩＰ−ＨＡ（ｍｏｂｉｌｅ  ＩＰ  ｈｏｍｅ  ａｇｅｎｔ）１４４、ＡＡＡ（ａｕｔｈｅｎｔｉｃａｔｉｏｎ，  ａｕｔｈｏｒｉｚａｔｉｏｎ，  ａｃｃｏｕｎｔｉｎｇ）サーバ１４６、およびゲートウェイ１４８を含むことができる。上述の要素のそれぞれは、コアネットワーク１０６の一部として示されているが、これらの要素のいずれかが、コアネットワークオペレータ以外のエンティティーによって所有および／または運営されることも可能であるということがわかるであろう。
【００３９】
ＭＩＰ−ＨＡは、ＩＰアドレスマネージメントを担当することができ、ＷＴＲＵ１０２ａ、１０２ｂ、１０２ｃが、別々のＡＳＮおよび／または別々のコアネットワークの間においてローミングすることを可能にすることができる。ＭＩＰ−ＨＡ１４４は、ＷＴＲＵ１０２ａ、１０２ｂ、１０２ｃと、ＩＰ対応デバイスとの間における通信を容易にするために、インターネット１１０などのパケット交換ネットワークへのアクセスをＷＴＲＵ１０２ａ、１０２ｂ、１０２ｃに提供することができる。ＡＡＡサーバ１４６は、ユーザ認証と、ユーザサービスをサポートすることとを担当することができる。ゲートウェイ１４８は、その他のネットワークと相互作用することを容易にすることができる。たとえば、ゲートウェイ１４８は、ＷＴＲＵ１０２ａ、１０２ｂ、１０２ｃと、従来の地上通信線の通信デバイスとの間における通信を容易にするために、ＰＳＴＮ１０８などの回路交換ネットワークへのアクセスをＷＴＲＵ１０２ａ、１０２ｂ、１０２ｃに提供することができる。加えて、ゲートウェイ１４８は、ネットワーク１１２へのアクセスをＷＴＲＵ１０２ａ、１０２ｂ、１０２ｃに提供することができ、ネットワーク１１２は、その他のサービスプロバイダによって所有および／または運営されているその他の有線またはワイヤレスのネットワークを含むことができる。
【００４０】
図１Ｃにおいては示されていないが、ＲＡＮ１０４は、その他のＡＳＮに接続することができ、コアネットワーク１０６は、その他のコアネットワークに接続することができるということがわかるであろう。ＲＡＮ１０４と、その他のＡＳＮとの間における通信リンクは、ＲＡＮ１０４と、その他のＡＳＮとの間においてＷＴＲＵ１０２ａ、１０２ｂ、１０２ｃのモビリティーをコーディネートする（ｃｏｏｒｄｉｎａｔｅ）ためのプロトコルを含むことができる。コアネットワーク１０６と、その他のコアネットワークとの間における通信リンクは、ホームコアネットワークと、訪問先コアネットワークとの間における相互作用を容易にするためのプロトコルを含むことができる。
【００４１】
Ｍ２Ｍ（ｍａｃｈｉｎｅ−ｔｏ−ｍａｃｈｉｎｅ）通信またはＭＴＣ（ｍａｃｈｉｎｅ  ｔｙｐｅ  ｃｏｍｍｕｎｉｃａｔｉｏｎｓ）など、人間によって開始されるものではない、および／または厳密に階層的なトポロジーではない場合がある通信を含む、セルラーネットワークに関するさまざまな非従来型の用途を考慮することができる。Ｍ２Ｍ通信またはＭＴＣは、マシンによって開始される、その他のマシンまたは人間とやり取りするための通信と定義することができる。本明細書に記載されている方法は、ＭＴＣ通信、ならびにその他のタイプの通信に適用可能とすることができる。
【００４２】
ＷＴＲＵからＷＴＲＵへの直接の通信を含むネットワークトポロジーは、カバレッジの拡張、スループットの改善などのために使用することができる。これらのネットワークトポロジーは、必要な場合にノードを発見することにより、接続のための代替パスを提供することによってネットワークの堅牢性を著しく高めることもできる。しかしＷＴＲＵは、まったくモバイルでない場合があり、または非常に低いモビリティーしか有さない場合がある。
【００４３】
必要に応じた、ノードの発見、ルーティング、関連付け、および帯域幅の要求の機能を含む、ＷＴＲＵがネットワークを発見してネットワークとのリンクを確立する方法に関するＷＴＲＵの従来の動作に対する変更が必要となる場合がある。ＷＴＲＵは（おそらくは、ネットワークによって支援されて）、ネットワークへ／ネットワークからデータを中継する際に、またはＢＳへの／ＢＳからのデータフローを伴わずにローカルにデータを通信する際に支援を行うために、その他のＷＴＲＵのセットとの関連付けを識別して保持することができる。ネットワークを伴う、または伴わない、クライアントコラボレーション、中継、およびＷＴＲＵからＷＴＲＵへの通信は、任意のタイプのワイヤレス通信システムにおいて実施することができ、それらのワイヤレス通信システムには、ＩＥＥＥ８０２．１６およびそのすべての修正、ＬＴＥ（ｌｏｎｇ  ｔｅｒｍ  ｅｖｏｌｕｔｉｏｎ）、ＵＭＴＳ（ｕｎｉｖｅｒｓａｌ  ｍｏｂｉｌｅ  ｔｅｌｅｃｏｍｍｕｎｉｃａｔｉｏｎ  ｓｙｓｔｅｍ）などが含まれるが、それらには限定されない。
【００４４】
８０２．１６ｍの一例においては、ＷＴＲＵはページングの前にネットワークとの関連付けを行っていると想定することができる。この例においては、ＷＴＲＵは、ページングパラメータを受信する前に、ＩＤＬＥ状態に入ることができる。ページングは、ＤＩ（ｄｅｒｅｇｉｓｔｒａｔｉｏｎ  ｉｎｄｉｃａｔｏｒ）を使用することができる。ページング機能は、ＲＮＧ−ＲＳＰ（Ｒａｎｇｉｎｇ  Ｒｅｓｐｏｎｓｅ）  ＭＡＣ（ｍｅｄｉｕｍ  ａｃｃｅｓｓ  ｃｏｎｔｒｏｌ）メッセージを使用して、レンジング手順において更新することができる。
【００４５】
ページングは、二面性のグループ化を使用して実行することができる。たとえば、１つのＢＳを１つまたは複数のグループに割り当てることができ、１つのＷＴＲＵを複数のグループに割り当てることができる。グループの数は、４つに限定することができる。１つのグループ内で別々のページングサイクルおよび／またはオフセットを使用することができる。ＷＴＲＵグループのうちの１つをプライマリーグループに指定することができる。プライマリーグループは、検知に関する優先権を有することができ、たとえば最小のオフセットを有することができる。ページングは、プライマリーグループおよびセカンダリーグループを使用して実行することができ、ビジータイムをコーディネートすることは不要とすることができる。グループが存在しない場合には、ロケーション更新手順をトリガーすることができる。
【００４６】
ページングを利用できないインターバル中には、ＢＳは、ＷＴＲＵをページングすることができると期待することはできない。ＷＴＲＵは、この時間を、バッテリー節約のために、または測定を行うために使用することができる。ページング時間を特定するためにスーパーフレーム数を抽出するための期間の終わりに向けてＳＦＨ（ｓｕｐｅｒｆｒａｍｅ  ｈｅａｄｅｒ）の再同期化および検知を実行することができる。ＩＤＬＥモードの開始中にはＡＡＩ−ＤＲＥＧ−ＲＳＰメッセージを使用して、およびロケーションの更新中にはＡＡＩ−ＲＮＧ−ＲＳＰを使用して、新たなページングパラメータをシグナリングすることができる。
【００４７】
ブロードキャストページングメッセージ、たとえば、ＡＡＩ−ＰＡＧ−ＡＤＶメッセージを使用して、ＤＬトラフィックの存在を示すことができる。ブロードキャストページングメッセージを使用して、レンジングなどの際にロケーションの更新に関してポーリングを行うことができる。ブロードキャストページングメッセージは、緊急事態アラートを含むことができる。ブロードキャストページングメッセージにおいて複数のＷＴＲＵを識別することができ、したがって、真のグループは存在しないと言える。ＷＴＲＵ  ＩＤを伴わないページングメッセージは、そのＷＴＲＵがスリープ状態に戻っているということを示すことができる。ブロードキャストページングメッセージは、たとえば、Ｎｍｏｄｕｌｏ ＰＡＧＩＮＧ＿ＣＹＣＬＥ＝ＰＡＧＩＮＧ＿ＯＦＦＳＥＴによって定義されるものを含むフレーム内に含めて送信することができる。そのフレーム内のロケーションは、Ａ−フィールドマップ（Ａ−ＭＡＰ）ＩＥ内に含めてシグナリングすることができ、次のフレームにおいて継続することができる。禁じられたセルによるページングを許可することができるが、ネットワークへのエントリーは、好ましいＢＳに制限することができる。
【００４８】
ページングリスニングインターバル中のオペレーションは、ページングサイクルおよび／またはオフセットに基づくことができる。リスニングは、スーパーフレームごとに実行することができる。ＷＴＲＵは、ＰＡプリアンブル上で同期化を行うことができ、Ｐ−ＳＦＨ（ｐｒｉｍａｒｙ  ＳＦＨ）をデコードすることができる。ＰＧＩＤ−Ｉｎｆｏ（Ｐａｇｉｎｇ  ＩＤ  ｉｎｆｏｒｍａｔｉｏｎ）は、ページングの存在を問わずに任意のＷＴＲＵへ送信することができ、どのページンググループがＢＳによってサポートされているかをシグナリングすることができる。ＰＧＩＤ−Ｉｎｆｏは、リスニングインターバル内で所定のロケーションにおいて送信することができる。
【００４９】
マシンツーマシン通信は、多数のデバイスを含む場合があり、すべてではないが、いくつかのデバイスは、モビリティーが低い場合があり、またはモビリティーを有していない場合がある。データ送信は、頻繁に行わなくてもよく、相対的に長い待ち時間を許容することができる。Ｍ２Ｍデバイスは、その他のタイプのデバイスとネットワークを共有することができる。
【００５０】
ページグループは、下記の理由から使用される場合がある。デバイスのモビリティーに起因して、デバイスのロケーションが確定しない場合がある。その不確定性をカバーするために、同じエリア内のいくつかのＢＳをグループにまとめることができる。Ｍ２Ｍのモビリティーは、かなり低い場合があるため、ＢＳの大きなグループ（したがって、ＷＴＲＵの大きなグループ）に対する必要性を、なくすとまではいかないが、減らすことができる。ＷＴＲＵは、別々の待ち時間要件を伴うサービスをサポートするために、いくつかのグループに属することができる。
【００５１】
それぞれのセクタごとに非常に多数のデバイスが存在すると想定することができる。しかし、これらのデバイスのほとんどは、ＢＳに直接関連付けることができる。少数のみが、別のＷＴＲＵによって中継されることが必要となる可能性がある。したがって、他のいずれかのＷＴＲＵによってページングされることが必要となる可能性があるＷＴＲＵの平均数は少ないが、いくつかのＷＴＲＵは、複数のＷＴＲＵをページングすることが必要となる可能性がある。８０２．１６においては、たとえば、ＷＴＲＵをページングすることは、そのＤＩ（Ｄｅｒｅｇｉｓｔｒａｔｉｏｎ  Ｉｎｆｏｒｍａｔｉｏｎ）によって表すことができる。ＷＴＲＵに関するＤＩは、たとえば１８ビットとすることができる。しかし、ページングは全体として、より多くのビットを必要とする場合がある。なぜなら、数個のＷＴＲＵ内でのページングは、大きなオーバーヘッドを必要とするためである。それぞれのページングＷＴＲＵは、ほんの数個の他のＷＴＲＵしかページングすることができないが、セル内には潜在的に多くのページングＷＴＲＵが存在する可能性があるということに留意されたい。ページングが頻繁に実行される場合には、オーバーヘッドの影響は著しくなることがある。
【００５２】
Ｍ２Ｍのケースでは、ユーザのグループをページングする必要性が提示される場合があり、たとえば、同様のタイプの複数のデバイスが、特定のタスクのために同時にページングされる場合がある。いくらかのデバイスモビリティーの可能性、長いページングウィンドウ、およびページングＷＴＲＵの小さなカバレッジに起因して、ページングＷＴＲＵ内にいくらかの不確定性が存在する場合があり、たとえば、そのＷＴＲＵは、前回のデータのやり取り以降にロケーションを変更している可能性がある。
【００５３】
ＰＰＤＲ（Ｐｕｂｌｉｃ  Ｐｒｏｔｅｃｔｉｏｎ  ａｎｄ  Ｄｉｓａｓｔｅｒ  Ｒｅｌｉｅｆ）のケースの一例においては、ＷＴＲＵどうしは、通信する必要が生じない限り、関連付けられず、また、決してＩＤＬＥ状態にならないことが可能である。このケースにおいては、ページングの必要はない。別のＰＰＤＲのケースにおいては、ＷＴＲＵは、アクティブな通信状態にない場合でさえ、他の多くのＷＴＲＵと関連付けられることが可能であり、ページングを使用することができる。
【００５４】
スループットの向上に関する一例においては、すべてのＷＴＲＵが、ＢＳと直接関連付けられることが可能であり、ＢＳによってページングされることが可能である。Ｍ２Ｍの用途においては、１）わかっているＷＴＲＵロケーションを伴う個別ページング、２）グループページング、および３）わかっていないＷＴＲＵロケーションを伴う個別ページングという３つのタイプのページングが考えられる。個別ページングは、特定の目的で特定のＷＴＲＵをページングするために使用することができる。ネットワークへのＷＴＲＵの接続ポイントが、高い精度でわかっている場合がある。したがって、ＷＴＲＵのロケーションは、そのＷＴＲＵとの最後の通信時から著しく変わってはいないと想定することができる。ＷＴＲＵが最近ＢＳに直接接続されていた場合には、そのＷＴＲＵは現在、最初の基地局に隣接する基地局の十分に小さなグループのサービスエリア内にいる可能性がある。ＷＴＲＵが最近ページングＷＴＲＵを通じて接続されていた場合には、そのＷＴＲＵは現在、そのＷＴＲＵに隣接するＷＴＲＵの小さなグループのレンジ内にいる可能性がある。
【００５５】
グループページングは、特定の機能を実行する目的でＷＴＲＵのグループをページングするために使用することができる。特定の機能の例としては、１）（たとえば、さらなる通信を実行するための）ＷＴＲＵのグループのネットワークアクセス、２）ロケーションの更新のためのレンジング、および３）ブロードキャストモードでのデータの受信（たとえばＳｍａｒｔ  Ｇｒｉｄアプリケーションにおいては、新たな動作パラメータを提供するために、いくつかのまたはすべてのスマートメータを同時にページングすることができる）を含むことができる。
【００５６】
わかっていないロケーションを伴う個別ページングは、ＷＴＲＵのロケーションがわかっていない場合に使用することができる。この機能を実行するためのいくつかのメカニズムが存在することができ、たとえば、ページングされるＷＴＲＵに、ロケーションの更新のためにレンジングを行うよう指示することができる。結果として、ＷＴＲＵのロケーションを知ることができ、ＢＳは、この機会を使用して、データをＷＴＲＵへ送信することができる。あるいは、ページングされるＷＴＲＵに、ネットワークへ入るよう指示することもできる。
【００５７】
ページングは、グループで、または個別に実行することができる。ページングは、個別のＢＳから、またはＢＳのグループから送信することができる。ページングは、個別のページングＷＴＲＵから、またはページングＷＴＲＵのグループから送信することもできる。後者は、検知の確率を高めることができ、ページングされるＷＴＲＵのロケーションの不確定性を克服することができる。原因は、ページング信号内に組み込まれることが可能であり、効率的なシグナリングメカニズムを提供することができる。ページングが、ブロードキャスト送信を示すために使用される場合には、そのブロードキャスト送信にアクセスするために必要とされる情報をページング信号内に含めることができる。
【００５８】
以降の例に関しては、ページングされるＷＴＲＵが、ＤＬ（ｄｏｗｎｌｉｎｋ）同期化を保持または再取得しており、ページングメッセージまたは波形をデコードするために十分に自分のシステム情報を更新していると想定することができる。図２は、ＢＳ送信をデコードすることができないＷＴＲＵをカバーするようにページング信号の送信を拡張することによって、わかっているＷＴＲＵロケーションを伴う個別ページングを実行するための例示的な方法２００の流れ図である。この例においては、ページングされるＷＴＲＵは、ページングＷＴＲＵによってページングされるために新たな手順を実施することを必要とすることができ、または不要とすることもできる。
【００５９】
図２を参照すると、任意のＷＴＲＵ（そのＷＴＲＵにその他の任意のＷＴＲＵが関連付けられているか否かを問わず）が、ページングＷＴＲＵとして機能するようそのＷＴＲＵに指示するメッセージを受信することができる（２１０）。ページングＷＴＲＵには、そのページングＷＴＲＵのページング機能に関する１つまたは複数のページンググループを示すＷＴＲＵ  ＩＤを割り当てることができる。これらのグループは、ＷＴＲＵとしてのその通常のオペレーションに関して使用されるページンググループと同じでもよく、または同じでなくてもよい。ＷＴＲＵ  ＩＤは、ページングするための単一のＷＴＲＵを示すことができる。ページングされるＷＴＲＵには、１つまたは複数のグループを割り当てることができ、それらのグループは、ページングＷＴＲＵのグループと同じでもよく、または同じでなくてもよい。割り当ては、最初の関連付けの間に、またはその他の任意の時点で行うことができる。周期性および時間オフセットも、そのときに割り当てることができる。
【００６０】
これらのページンググループへのページングメッセージは、わかっている周期性および時間オフセットで送信することができる。ページングＷＴＲＵは、ページングメッセージを受信することができ（２１５）、そのページングメッセージが、あらかじめ割り当てられたＷＴＲＵ  ＩＤを示している場合には（２２０）、ページングＷＴＲＵは、受信されたＷＴＲＵ  ＩＤによって示されているＷＴＲＵにページングメッセージを送信することができる（２３０）。受信されたメッセージは、複数のＷＴＲＵ  ＩＤを含むことができ、ページングＷＴＲＵは、受信されたＷＴＲＵ  ＩＤによって示されているＷＴＲＵのうちのそれぞれにページングメッセージを送信することができるということに留意されたい。受信されたメッセージが、割り当てられたＷＴＲＵ  ＩＤを示していない場合には、ページングＷＴＲＵは、ページングメッセージを求めて引き続きリッスン（ｌｉｓｔｅｎ）することができる（２４０）。
【００６１】
転送を行うＷＴＲＵは、ＷＴＲＵを自分に接続させることができる。ページングＷＴＲＵが、転送を行うＷＴＲＵでもある場合には、接続されるＷＴＲＵは、ページングされるＷＴＲＵとみなすことができる。ページングＷＴＲＵのグループと、ページングされるＷＴＲＵのグループとの間において、マッピングを定義することができる。ページングメッセージのために使用されるグループは、このグループマッピングによって特定することができる。ページングＷＴＲＵは、リソースを割り当てられること、および自分のページングメッセージのためにＢＳパワーによって送信を行うことが可能である。
【００６２】
マルチポイント送信のページングの例においては、複数のページングＷＴＲＵに、少なくとも１つの共通のページンググループと、ページングするための１つまたは複数のＷＴＲＵ  ＩＤとを割り当てることができる。加えて、同じリソースが割り当てられて、ページングＷＴＲＵが十分に同期化される場合には、この例示的な方法は、複数のソースからの同じ波形の送信をもたらして、ページング成功の確率を高めることができる。ＢＳページングメッセージには、複数のＷＴＲＵが、類似していない情報を送信する場合に、誤ってデコードすることを防止するために、ＣＲＣ保護を施すことができる。ページングＷＴＲＵも、ページングされるＷＴＲＵも、マルチポイント送信を認識することはできない。
【００６３】
複数のＷＴＲＵによるページの共同送信は、単一ポイントの送信に勝るダイバーシティー利得を提供することができる。複数のＢＳによるページの共同送信も、単一ポイントの送信に勝るダイバーシティー利得を提供することができる。共同送信が、ＢＳとともにＷＴＲＵによって実行される場合には、さらなるパフォーマンス利得を達成することができる。これらのダイバーシティー利得は、短期の高速マルチパスフェーディングならびに長期のシャドウフェーディングに対抗することができる。ページング情報を送信するために複数のＷＴＲＵが使用される場合には、ページングＷＴＲＵへのＢＳページングメッセージをトリガーすることによって同期化を達成することができる。
【００６４】
グループページングは、ＷＴＲＵ  ＩＤを示すことによって、ＤＩ（ｄｅｒｅｇｉｓｔｒａｔｉｏｎ  ｉｄｅｎｔｉｆｉｅｒ）を送信すること、グループＩＤ（ｉｄｅｎｔｉｆｉｅｒ）を送信すること、または、ＤＩとは別個のものとすることができ、かつネットワークによって割り当てることができるＷＴＲＵ  ＩＤを使用することによって、実行することができる。結果として、ページングされるＷＴＲＵまたはページングＷＴＲＵが、ページングされるのは個別かまたはグループかを知ることは不要とすることができる。
【００６５】
上記の例においては、グループページングメッセージは、少なくともそれぞれのページングされるＷＴＲＵごとに送信することができる。ＷＴＲＵロケーションにおける不確定性、およびＷＴＲＵからＷＴＲＵへの通信の短いレンジに起因して、グループページングメッセージは、多くのページングＷＴＲＵによって送信されることが必要となる場合がある。ページングされるＷＴＲＵどうしをロケーションごとにグループ化することを可能にすることができるが、グループ化は別々のサービスのために使用されることがあるため、グループの管理が困難になる場合がある。
【００６６】
グループページングにおけるオーバーヘッドを減らすために、グループＩＤの送信をページングＷＴＲＵに限定することができる。ページングされるＷＴＲＵによってグループＩＤが受信されると、結果として、そのＷＴＲＵは、可能な送信パワーランプアップ手順を用いて応答信号を送信することができる。ページングＷＴＲＵによる応答信号の受信によって、完全なページングメッセージの送信をトリガーすることができる。
【００６７】
図３は、グループページングにおけるオーバーヘッドを減らすための例示的な方法３００の流れ図である。図３を参照すると、ＢＳは、時間基準を確立するためのプリアンブルを送信することができる（３１０）。時間基準の確立は、ネットワークの同期化と組み合わせることができる。一例においては、ネットワークの時間および周波数の同期を確立するために、８０２．１６ｍのＰＡプリアンブル（ｐｒｉｍａｒｙ  ａｄｖａｎｃｅｄ  ｐｒｅａｍｂｌｅ）に類似した波形を送信することができる。ＰＡプリアンブルは、スーパーフレームを定義することができ、スーパーフレーム内でのそのロケーションは、事前に特定されて知られていることが可能である。
【００６８】
選ばれたコードおよび時間／周波数リソースを使用してページンググループインジケータを送信する（３２０）ために、８０２．１６ｍのＳＡプリアンブル（ｓｅｃｏｎｄａｒｙ  ａｄｖａｎｃｅｄ  ｐｒｅａｍｂｌｅ）に類似した信号を使用することができる。これを可能にすることができるのは、ＳＡプリアンブルが、帯域幅に依存している点は別にして、ＩＤを示すことができる署名を有することができるためである。ＳＡプリアンブルの受信は、ＰＡプリアンブルから得られる最初の時刻同期を必要とする場合がある。
【００６９】
ページングを搬送するために使用されるＳＡプリアンブルの送信のタイミングは、固定することができる。あるいは、そのタイミングは、関連付けまたはブロードキャスト中に確立することもできる。ＳＡプリアンブルは、ページングされるＷＴＲＵへ送信することができる。ＳＡプリアンブル、または、類似した機能を有する別の信号は、ページングデバイス（たとえばページングＷＴＲＵ）のタイプに関連した情報、および／またはページンググループ情報を含むことができる。ページンググループは、ＳＡプリアンブル署名およびタイミング要素（ＳＡ−ｐｒｅａｍｂｌｅ  ｓｉｇｎａｔｕｒｅ  ａｎｄ  ｔｉｍｉｎｇ  ｅｌｅｍｅｎｔ）内に示すことができる。ページンググループは、スーパーフレームの周期性に関連したスーパーフレームオフセットとして表すことができる。ページンググループインジケータは、グループのページングされるＷＴＲＵのうちの１つに関して、ページングメッセージを受信した任意のページングＷＴＲＵによって、送信することができる。ＢＳは、隣接するページングＷＴＲＵが、同じページングインジケータを同時に送信することができるように、ページングメッセージをアレンジすることができる。
【００７０】
次いで、ページングされるＷＴＲＵは、ページングメッセージに応答して、少なくとも自分の存在を示す信号を送信することができる。ページングＷＴＲＵは、最初のリスニングフェーズ中に応答信号を求めてリッスンすることができる（３３０）。最初のリスニングフェーズ中に、リスニングリソースは、知られていることが可能であり、最初の関連付けの間に、またはブロードキャストによって、固定または確立されることが可能である。リスニングリソースの性質は、使用される情報および波形に依存することができる。たとえば、波形は、タイムドメイン波形とすることができる。この例においては、リスニングリソースは、ページングインジケータスーパーフレーム（ｐａｇｉｎｇ  ｉｎｄｉｃａｔｏｒ  ｓｕｐｅｒｆｒａｍｅ）に関連して、ときおり、１つまたは複数のリスニングタイムウィンドウ（ｌｉｓｔｅｎｉｎｇ  ｔｉｍｅ  ｗｉｎｄｏｗ）中にリッスンすることができる。この例においては、ページングされるＷＴＲＵが存在しないことによってもたらされるさらなる干渉を最小限に抑えることができるということに留意されたい。
【００７１】
ネットワーク全般、またはＤＰＳＳ（ｄｉｓｃｏｖｅｒａｂｌｅ  ｐｅｅｒ  ｓｕｂｓｃｒｉｂｅｒ  ｓｔａｔｉｏｎ）（本明細書では、ページングＷＴＲＵとしても知られている）は、この時点では、ページングされるＷＴＲＵがレンジ内にいることを知ることはできない。ページングＷＴＲＵは、レンジ内にいるページングされるＷＴＲＵに関する情報を得ることができる。加えて、ページングＷＴＲＵは、パスロス推定を得ることができる。
【００７２】
干渉を最小限に抑えるために、ページングされるＷＴＲＵは、低いパワーで送信を開始することができる。ページングされるＷＴＲＵは、送信パワーランピングが使用されることになるかどうかを特定することができる（３４０）。ページングされるＷＴＲＵは、送信パワーランピングが使用されることになると特定した場合には、最初の送信パワーランピングを実行することができる（３５０）。
【００７３】
最初の送信パワーランピングを実行するために、ページングされるＷＴＲＵは、自分自身をページングＷＴＲＵに知らせるための波形を送信することができる。マルチポイント送信の例においては、ページングされるＷＴＲＵは、波形を複数のページングＷＴＲＵへ送信することができる。たとえば，同期化されているデバイス（Ｓ−ＲＮＧ）または同期化されていないデバイス（ＮＳ−ＲＮＧ）に関する８０２．１６ｍレンジングプリアンブルを使用することができる。ページングＷＴＲＵは、ページングされるＷＴＲＵからＰＲＳ（ｐａｇｉｎｇ  ｒｅｓｐｏｎｓｅ  ｓｉｇｎａｌ）を受信することができ（３６０）、ページングされるＷＴＲＵは、リスニングウィンドウ中に自分の送信パワーをランプアップすることができる（３７０）。ページングされるＷＴＲＵは、応答が受信されるまで、または許容される最大値に達するまで（そのケースにおいては、送信パワーランピングは失敗している）、自分の送信パワーをランプアップすることができる。最初のパワーレベルおよび送信パワーランピングステップは、あらかじめ定めておくことができる。リスニングウィンドウは、いくつの送信パワーランピングステップが行われたかがページングＷＴＲＵにわかるように設計することができる。ステップサイズ最初のパワーがわかれば、ページングＷＴＲＵは、自分自身と、ページングされるＷＴＲＵとの間におけるパスロスを推定することができる（３８０）。次いでページングＷＴＲＵは、推定されたパスロスに基づいたパワーを使用して、ページングメッセージを送信することができる（３９０）。
【００７４】
ページングされるＷＴＲＵは、送信パワーランピングが使用されないと特定した場合には、すべてのデバイスに知られていることが可能である固定されたパワーを使用することができる（３９５）。この例においては、ＰＲＳリソースは、ページングインジケータまたは時間基準の観点から提供することができる。たとえば、固定されたリソースは、ページングインジケータから所定の時間後に開始してｎフレームごとに使用することができる。
【００７５】
ＰＲＳを受信したすべてのページングＷＴＲＵが、応答する必要があるわけではない。どのページングＷＴＲＵが応答するかを特定することは、分散された様式で、または直接のＢＳコントロールのもとで推定された情報に基づくことができる。たとえば、ページングＷＴＲＵから、ページングされるＷＴＲＵへのパスロス推定、またはその他の基準を使用して、最良のページングＷＴＲＵを特定することができる。この特定は、一意ではなく、複数の最良のページングＷＴＲＵに至ることも可能であるということに留意されたい。
【００７６】
集中化されたコントロールモードでは、ＰＲＳを受信したすべてのページングＷＴＲＵが、パスロス推定情報またはその他の情報をＢＳへ送信することができる。次いでＢＳは、どのページングＷＴＲＵが応答するべきかを、パスロス推定およびその他のパラメータ、たとえば、転送を行うＷＴＲＵの機能、および自分自身のトラフィックロードに基づいて決めることができる。
【００７７】
一代替形態においては、ＢＳによって、ＷＴＲＵからＢＳへのパスロスおよびＷＴＲＵからＷＴＲＵへのパスロスの関数に関するしきい値、ならびに／またはその他の基準をあらかじめ定めることによって、分散した様式で、応答するページングＷＴＲＵを特定することができる。この関数は、ＢＳによってシグナリングすること、ハードウェアに組み込むこと、または指定しないことが可能である。トラフィックロードも、たとえばバッファの占有に関するしきい値によって、同様に考慮に入れることができる。
【００７８】
手順そのものは、少なくとも１つのＷＴＲＵが応答することを絶対的に保証するものではないということに留意されたい。下記のようなＢＳコントロールによって、高度な確実性を達成することができる。ＰＲＳを受信したすべてのＷＴＲＵは、その旨の表示をＢＳへシグナリングすることができる。ＢＳは、ＷＴＲＵが応答したかどうかを知ることもでき、必要に応じて、しきい値を調整することができる。ページングＷＴＲＵに関する送信パワーは、上記のように得られたパスロス推定から特定することができる。ページングＷＴＲＵの応答は、（たとえば、上記の実施形態において詳述したような）ページングメッセージを含むことができる。
【００７９】
ＷＴＲＵ／ＢＳがコーディネートされるページングの例においては、ＢＳは最初に、ページングされるＷＴＲＵへ直接ページングすることを試みることができる。指定された時間間隔内に応答が受信されない場合には、１つまたは複数のページングＷＴＲＵの支援を要求することができる。１つまたは複数のページングＷＴＲＵの支援を要求することは、ページングＷＴＲＵに対するバッテリー枯渇の影響を最小限に抑えながら、ページングの信頼性を改善することができる。この例においては、接続ポイントは、ＢＳまたはページングＷＴＲＵとすることができるということに留意されたい。どのノードが最初の試みを開始するかというプロトコル（たとえば、ＷＴＲＵ）は、ネットワーク関連付けの一部として事前に確立すること、またはその他の任意の時点でＢＳによってページングＷＴＲＵへシグナリングすることが可能である。この例においては、ページングされるＷＴＲＵがＢＳからページを受信することができない場合があるとは想定されない。しかし、わずかとは言えない成功の確率があり得ると想定することができる。成功の確率は、ページングの成功に関する所望の信頼性を提供する上で十分に高くない場合がある。
【００８０】
例示的な自律的なページングＷＴＲＵのトリガリングを、ＷＴＲＵ／ＢＳがコーディネートされるページングの例と併せて使用して、シグナリングオーバーヘッドを減らすことができる。ページングＷＴＲＵは、応答をＢＳページにページングするための手段をモニタすることができる。応答がシグナリングされない場合には、ＷＴＲＵは、ＢＳページングへの支援を自律的に開始することができる。これは、自律的であることが可能であるが、ネットワーク接続時に、またはその他の任意の時点で、あらかじめＢＳとコーディネートすることもできる。この例は、シグナリングオーバーヘッドを減らすことができるが、ページングＷＴＲＵが、応答メッセージをページングするために使用することができる共通のチャネルを認識してモニタすることを必要とする場合がある。このモニタリングは、ＷＴＲＵ／ＢＳがコーディネートされるページングの例のバッテリー消費の利点を打ち消してしまう場合がある。
【００８１】
オーバーヘッドを減らしたマルチポイントページングを、たとえば８０２．１６ｎ発見手順と併せて使用することができる。１つまたは複数のＷＴＲＵが、ＢＳのカバレッジエリア外にいて、セル内で移動しており、それによって、どの関連付けられているＷＴＲＵが、それらの１つまたは複数のＷＴＲＵを最も良好にページングすることができるかに関して、いくらかの不確定性がある場合に、マルチポイントページングを使用することができる。
【００８２】
図４において示されている下記の例示的なＷＴＲＵ発見手順を使用して、ユニキャスト接続に関するページングを実行することができる。図４は、複数の関連付けられているＷＴＲＵ４１０〜４３０と、１つの関連付けられていないＷＴＲＵ４４０とを示している。１つまたは複数の関連付けられているＷＴＲＵは、発見可能として指定することができる。これらの発見可能なＷＴＲＵは、該当する場合には、ネットワークタイミング、帯域幅、１つまたは複数のＷＴＲＵグループＩＤ、およびデバイスのタイプまたはその所有権に関する情報を含むプリアンブルを送信することができる。発見可能なＷＴＲＵは、単一のプリアンブル、またはプライマリープリアンブルおよびセカンダリープリアンブルのペアを送信することができる。
【００８３】
図４を参照すると、ＷＴＲＵ４３０は、プリアンブル４４５およびＮＣＩ（ｎｅｔｗｏｒｋ  ｃｏｎｆｉｇｕｒａｔｉｏｎ  ｉｎｆｏｒｍａｔｉｏｎ）を、わかっているリソース、またはそのＮＣＩに関するＳＡプリアンブル内のセルＩＤから得られるリソースを使用して、送信することができる。送信されるＮＣＩは、最初のアクセスのために必要とされるパラメータを含むことができる。それらのパラメータは、たとえば、リソース、コードなどを含むことができる。この手順においては、グループのメンバーであるすべての発見可能なＷＴＲＵは、同じリソース上で同じプリアンブルおよびＮＣＩを送信することができる。この結果、ページングされるＷＴＲＵは、以降で説明するように、自分のＩＤを送信したすべてのＷＴＲＵにグループ応答を送信することができる。
【００８４】
関連付けられていないＷＴＲＵ４４０は、ＮＣＩからレンジングパラメータを得ることができる。あるいは、ＮＣＩが使用されない場合には、関連付けられていないＷＴＲＵ４４０は、プリアンブルによって示されるとおり、ＷＴＲＵ  ＩＤまたはグループＷＴＲＵ  ＩＤからレンジングパラメータを得ることができる（４５０）。関連付けられていないＷＴＲＵ４４０は、アクセス信号４５５を送信すること、および自分の送信パワーをランプアップすること（４６０）が可能である。レンジングに関するコードは、ＮＣＩ内で指定することができる。
【００８５】
関連付けられているＷＴＲＵ、たとえばＷＴＲＵ４３０は、ページングＷＴＲＵとして指定されることが可能であり、アクセス信号４５５を受信することができる。受信されたアクセス信号４５５が、ページングＷＴＲＵ４３０のアクセスパラメータに合致し、しきい値と交わる場合には、ページングＷＴＲＵ４３０は、ＡＣＫ４６５を用いて応答することができる。ＡＣＫ４６５を受信すると、関連付けられていないＷＴＲＵ４４０は、送信パワーランピングを停止することができる（４７０）。ページングＷＴＲＵ４３０は、特定のアクセスパラメータを含む特定のＮＣＩ４７５を送信することができる。次いで、関連付けられていないＷＴＲＵ４４０は、応答している関連付けられているＷＴＲＵのうちの１つまたは複数にアクセスすることができる。
【００８６】
図５は、ユニキャスト接続に関するページングの一例５００の流れ図である。図５において示されているセルは、ＢＳ５１０、ＷＴＲＵ５２０、およびＷＴＲＵ５３０を含む。ＷＴＲＵ５２０を、ページングＷＴＲＵと呼ぶことができ、ＷＴＲＵ５３０を、ページングされるＷＴＲＵと呼ぶことができる。この例においては、ＷＴＲＵ５２０およびＷＴＲＵ５３０は、グループ１  ５４０に属する。簡単にするために、グループ１  ５４０は、２つのＷＴＲＵを伴って示されているが、それぞれのグループは、３つ以上のＷＴＲＵを含むことができるということがわかる。それぞれのセルは、複数のＢＳを含むことができるということもわかる。
【００８７】
図５を参照すると、ＢＳ５１０は、ページングＩＤメッセージ５５０を１つまたは複数のＷＴＲＵへ送信することができる。この例においては、ＢＳ５１０は、ページングＩＤメッセージ５５０をＷＴＲＵ５２０へ送信している。ページングＩＤメッセージ５５０は、ページング表示ＩＥ（ｉｎｆｏｒｍａｔｉｏｎ  ｅｌｅｍｅｎｔ）のコンテンツを含むことができる。ページングＩＤメッセージ５５０は、１つまたは複数のページングされるＷＴＲＵのＩＤ、１つまたは複数のページングされるグループのＩＤ、および／または、たとえばＳ−ＲＣＨ（Ｓｙｎｃｈｒｏｎｉｚｅｄ  ｒａｎｇｉｎｇ  ｃｈａｎｎｅｌ）リソースインジケータを含むこともできる。ページングＩＤメッセージ５５０は、単一のＩＤＬＥ状態のＷＴＲＵ、またはＩＤＬＥ状態のＷＴＲＵのグループに関する割り当てられたＰＩ（ｐａｇｉｎｇ  ｉｎｄｉｃａｔｏｒ）を含むことができる。１つまたは複数のＰＩをそれぞれのＷＴＲＵに割り当てることができる。ＩＤＬＥ状態にあるＷＴＲＵには、発見可能なＷＴＲＵのプリアンブルまたはＮＣＩエポック（ＮＣＩ  ｅｐｏｃｈ）に合致することができるウェイクアップパターンを割り当てることができる。
【００８８】
ページングＩＤメッセージ５５０を受信したことに応答して、ＷＴＲＵ５２０は、ページングインジケータＩＥ５６０をＷＴＲＵ５３０へ送信することができる。関連付けられているＷＴＲＵまたはＷＴＲＵのグループがページングされることを示すページングインジケータＩＥ５６０を送信するよう１つまたは複数のＷＴＲＵに指示することができる。ページングインジケータＩＥ５６０は、ＮＣＩメッセージ内に組み込むことができる。あるいは、ＮＣＩメッセージは、別個のＰＩＭ（ｐａｇｉｎｇ  ｉｎｄｉｃａｔｏｒ  ｍｅｓｓａｇｅ）を見つけることができるリソースを示すことができる。ページングインジケータＩＥ５６０は、グループプリアンブル、グループＮＣＩ、および／またはグループページングインジケータメッセージを含むことができ、上記の発見手順と同様の手順を使用して送信することができる。
【００８９】
それぞれのページングインジケータまたはページングインジケータのグループは、自分に関連付けられているコードグループを有することができ、そのコードグループから、レンジングコードがランダムに選択されることが可能である。このグループが、最初のネットワークエントリーのために使用されたグループとは異なる場合には、そのアクセスがページに対する応答である旨をページングＷＴＲＵに示すことができる。ページングされるＷＴＲＵが属するグループを示すこともできる。
【００９０】
発見可能なグループのすべてのメンバーは、同じＮＣＩを送信することができるため、同じリソース上で同じＰＩＭを送信することができ、したがって同じＷＴＲＵをページングすることができる。あるいは、別個のＰＩＭを使用するグループにおいては、いくつかの発見可能なＷＴＲＵに、このメッセージを省略するよう指示することができる。このメッセージが省略される場合には、同じリソース上でその他の送信を行うことはできない。
【００９１】
再び図５を参照すると、ページングインジケータＩＥ５６０に応答して、ＷＴＲＵ５３０は、Ｓ−ＲＣＨリソースを介してアクセス信号５７０を送信することができる。アクセス信号５７０は、送信パワーランプアップ手順を使用して送信されるレンジングプリアンブルとすることができる。ＷＴＲＵ５２０は、それに応答して、ＡＣＫ（ａｃｋｎｏｗｌｅｄｇｅｍｅｎｔ）５８０と、ＷＴＲＵ固有のＳＡプリアンブルおよびＮＣＩ５８５とを送信することができる。次いでＷＴＲＵ５３０は、さらなるアクセス信号５９０を送信し、通常のセルアクセス手順に従うことができる。
【００９２】
図６Ａおよび図６Ｂは、別の例示的なページング手順６００の流れ図である。図６Ａを参照すると、ＢＳ６１０は、ＰＩおよび／またはウェイクアップパターンをセル内のそれぞれのＩＤＬＥ状態のＷＴＲＵ６２０、６３０に割り当てることができる。ＰＩは、単一のＷＴＲＵまたはＷＴＲＵのグループを指すことができる。１つまたは複数のＰＩをそれぞれのＷＴＲＵに割り当てることができる。割り当てられたウェイクアップパターンは、発見可能なＷＴＲＵのプリアンブルおよび／またはＮＣＩエポックに合致することができる。ＰＩは、ＷＴＲＵがページングＷＴＲＵとして指定されていることを示すこともできる。
【００９３】
図６Ｂを参照すると、ＷＴＲＵ６２０をページングＷＴＲＵとして指定することができる。ページングＷＴＲＵ６２０は、グループプリアンブル、グループＮＣＩ、および／またはグループＰＩＭ６４０を、ページングされるＷＴＲＵ６３０へ送信することができる。ページングＷＴＲＵ６２０は、ＷＴＲＵの応答の数を制限するために、別個のコードグループを使用することができる。ページングされるＷＴＲＵ６３０は、アイドル状態にあることが可能であり、ＮＣＩまたはＰＩＭ内に組み込まれているページング情報を求めてリッスンすることができる（６５０）。ページングされるＷＴＲＵ６３０は、自分に割り当てられたページングインジケータを受信した場合には、ネットワークエントリーのためのアクセス信号６６０を送信することができる。あるコードグループがＰＩＭに関連付けられている場合には、ページングされるＷＴＲＵ６３０は、その関連付けられているコードグループからコードを選択することができる。それに応答して、ページングＷＴＲＵ６２０は、ＷＴＲＵに関連付けられているプリアンブル（ＷＴＲＵ固有のプリアンブル）およびＮＣＩ６７０を、ページングされるＷＴＲＵ６３０へ送信することができる。
【００９４】
ページングインジケータは、ＷＴＲＵ固有のＮＣＩ内に含めることができる。加えて、ＰＩＭが使用される場合には、そのＰＩＭにページングインジケータを加えることができる。ページングインジケータは、ＷＴＲＵに関連付けられているＩＤを含むことができ、そのＩＤは、どのＷＴＲＵにページングするかをページングＷＴＲＵに示す。それぞれのページングインジケータは、それぞれ１つまたは複数のＷＴＲＵに関連付けられている１つまたは複数のＩＤを含むことができる。ページングインジケータは、グループに属することもでき、またはページングされるＷＴＲＵに固有のものとすることもできる。ページングインジケータは、予備段階において使用されるインジケータとは異なるものとすることができる。ＷＴＲＵが以前にネットワークによって接続され保持されていたときにそのＷＴＲＵに割り当てておくことができる任意のＩＤをページングＩＤとして使用することができる。アイドル状態のＷＴＲＵは、自分に割り当てられているページングインジケータを見ることができ、通常はページに答える際に使用されるものとして自分のＩＤをアクセスメッセージ内に含めて、ネットワークアクセス手順を継続することができる。
【００９５】
図７は、ＷＴＲＵにおいて使用するための例示的なページング方法７００の図である。ＷＴＲＵは、そのＷＴＲＵがページングＷＴＲＵとして指定されていることを示す構成メッセージをＢＳから受信することができる（７１０）。ページングＷＴＲＵは、グループプリアンブル、グループＮＣＩ、および／またはグループＰＩＭを送信することができる（７２０）。ページングＷＴＲＵは、アクセス信号を求めてリッスンすることができる（７３０）。アクセス信号が受信された場合には、ページングＷＴＲＵは、ＷＴＲＵ固有のプリアンブル、ＮＣＩ、および／またはＰＩＭを送信することができる（７４０）。次いでページングＷＴＲＵは、ネットワークアクセス手順を開始することができ（７５０）、引き続きグループプリアンブル、グループＮＣＩ、および／またはグループＰＩＭを送信することができる（７２０）。アクセス信号が受信されない場合には、ページングＷＴＲＵは、引き続きグループプリアンブル、グループＮＣＩ、および／またはグループＰＩＭを送信することができる（７２０）。
【００９６】
上記の例は、ページングプロセスにおける柔軟性を高めることを可能にすることができる。たとえば、発見可能なＷＴＲＵどうしは、セルエリアの連続した断片に対応するグループなど、それらのＷＴＲＵどうしのサービス特徴と、セル内での大まかな地理的ロケーションとの組合せによってグループ化することができる。結果として、ＢＳは、セル内のページングエリアのサイズを、ページングされるＷＴＲＵのロケーションに関するその不確定性に基づかせることができる。
【００９７】
ページングされるＷＴＲＵどうしは、それらのＷＴＲＵどうしのサービス特徴およびロケーションのうちの一方またはそれらの組合せに基づいてグループ化することができる。たとえば、１つの特定のサービスを提供するすべてのＷＴＲＵは、１つのグループに属することができ、また、１つのメッセージを受信することができるようにページングされることが可能である。ロケーション情報がどのように使用されるかは、ＢＳによって特定することができる。ＷＴＲＵの密度がしきい値を下回る場合には、特定の地理的エリア内のグループ全体をポーリングすることができる。さもなければ、密度がしきい値を上回る場合には、サブグループをセットアップすることができ、それによって、転送を行うＷＴＲＵがアクセスの試みで過負荷になることを防止するために、ページングされるＷＴＲＵは、セル全体にわたって分散される。
【００９８】
別々のページンググループとともに２段階手順を使用することができる。この２段階手順は、別々のコードグループからのアクセスどうしの間において優先順位をつけるためのコードの使用と併せて用いることができる。
【００９９】
図８は、別の例示的なグループページング方法８００の図である。図８において示されているワイヤレス通信システムは、ＢＳに関連付けられている複数のＷＴＲＵ、および関連付けられていないＷＴＲＵ、ＷＴＲＵ  Ｇ８１０を含む。簡単にするために、ＢＳは図示されていない。関連付けられているＷＴＲＵのうちで、ＷＴＲＵ  Ａ８０１、ＷＴＲＵ  Ｂ８０３、およびＷＴＲＵ  Ｃ８０５は、第１のグループ、たとえばグループ１に属し、ＷＴＲＵ  Ｄ８０２、ＷＴＲＵ  Ｅ８０４、およびＷＴＲＵ  Ｆ８０６は、第２のグループ、たとえばグループ２に属する。
【０１００】
図８を参照すると、グループ１に属するＷＴＲＵは、ＰＡプリアンブル８２１、ＳＡプリアンブル８２３、およびＮＣＩ８２５をそれぞれ送信することができる。ＳＡプリアンブル８２３は、そのＷＴＲＵがどのグループに属するか（たとえば、グループ１）を示すグループＩＤ８２７を含むことができる。グループＩＤ８２７は、サービス特徴に基づくことができる。ＮＣＩ８２５は、ページングインジケータ８２９を含むこと、または、別個のページングインジケータをどこで送信することができるか（たとえば、ページングインジケータを別個のメッセージ内に含めて送信することができる）を示すことが可能である。ＮＣＩ８２５は、グループベースのものとすることもでき、グループＩＤを含むこともできる。
【０１０１】
グループ２に属するＷＴＲＵは、ＰＡプリアンブル８３１、ＳＡプリアンブル８３３、およびＮＣＩ８３５をそれぞれ送信することができる。ＳＡプリアンブル８３３は、そのＷＴＲＵがどのグループに属するか（たとえば、グループ２）を示すグループＩＤ８３７を含むことができる。グループＩＤ８３７は、サービス特徴に基づくことができる。ＮＣＩ８３５は、ページングインジケータ８３９を含むこと、または、別個のページングインジケータをどこで送信することができるか（たとえば、ページングインジケータを別個のメッセージ内に含めて送信することができる）を示すことが可能である。ＮＣＩ８３５は、グループベースのものとすることもでき、グループＩＤを含むこともできる。
【０１０２】
関連付けられていないＷＴＲＵ、ＷＴＲＵ  Ｇ８１０は、自分のページングインジケータのうちの１つまたは複数を検知すること、およびレンジングプリアンブル８４０を自分の選んだグループ、たとえばグループ２へ送信することが可能である。それらの１つまたは複数のページングインジケータは、構成メッセージを介して、より早い時点でＢＳによって割り当てておくことができる。レンジングプリアンブル８４０は、インジケータ８４５、または選択されたグループを示すフィールドを含むことができる。この例においては、選択されたグループは、グループ２とすることができる。ＷＴＲＵ  Ｇ８１０は、応答が受信されるまで、送信パワーランプアップ手順を使用して、レンジングプリアンブル８４０の送信を続けることができる。送信パワーランピングに起因して、すぐ近くにいる関連付けられているＷＴＲＵが最初に応答する傾向を有することができる。
【０１０３】
この例においては、ＷＴＲＵ  Ｅ８０４およびＷＴＲＵ  Ｆ８０６が、そのＷＴＲＵグループ（たとえば、グループ２）を示すインジケータ８５２を含むことができるグループベースのＡＣＫ（ａｃｋｎｏｗｌｅｄｇｅｍｅｎｔ）８５０を用いて最初に応答することができる。グループベースのＡＣＫ８５０の後には、ＷＴＲＵに関連付けられているＰＡプリアンブル（ＷＴＲＵ固有のＰＡプリアンブル）８５１、８５３と、ＷＴＲＵに関連付けられているＳＡプリアンブル（ＷＴＲＵ固有のＳＡプリアンブル）８５４、８５６と、ＷＴＲＵに関連付けられているＮＣＩ（ＷＴＲＵ固有のＮＣＩ）８５５、８５７とが続くことができる。ＷＴＲＵ固有のＳＡプリアンブル８５４、８５６は、ＷＴＲＵ  ＩＤ８６１、８６３（たとえば、それぞれＷＴＲＵ  ＥおよびＦ）を示すインジケータを含むことができる。ＷＴＲＵ固有のＮＣＩ８５５、８５７は、ＷＴＲＵ  ＩＤ８６２、８６４（たとえば、それぞれＷＴＲＵ  ＥおよびＦ）を示すインジケータを含むことができる。
【０１０４】
関連付けられていないＷＴＲＵ  Ｇ８１０は、新たなネットワークアクセス信号８７０、たとえばレンジングプリアンブルを送信することができる。ネットワークアクセス信号８７０は、ＮＣＩ８５７から特定されるリソース上で送信することができ、選択されたＷＴＲＵ  ＩＤ８６４を示すインジケータ８７５を含むことができる。この時点で、通常のアクセス手順に従うことができる。
【０１０５】
図５〜図８において示されている例は、マルチキャスト送信の開始または可用性を示すように修正することができる。このマルチポイントページング手順においては、ページングインジケータをマルチキャストチャネル記述子にマップすることができる。このマッピングは、以前の接続されていた状態の間に確立することができる。ページングインジケータは、ＮＣＩ、またはＮＣＩによって示される別個のメッセージ内に組み込むことができる。あるいは、マルチキャストチャネル記述子を、明示的に送信することもでき、ＮＣＩまたは別個のメッセージ内に組み込むこともできる。自分のマルチキャストサービスに関するページングインジケータまたはマルチキャストチャネル記述子を受信するＷＴＲＵは、マルチキャスト送信の受信を開始することができる。
【０１０６】
いくつかのケースにおいては、ページングされるＷＴＲＵおよびページングＷＴＲＵの数を少なくすることができ、待ち時間要件を厳しくすることができる。これらのケースに対応するために、図５〜図８における例は、シングルポイントページングを実行するように適合することができる。例示的なシングルポイントページング手順においては、発見可能なＷＴＲＵは、個々のプリアンブルおよびＮＣＩをローカルに送信することができる。関連付けられていないＷＴＲＵは、シグナリングされたレンジングパラメータを使用して、関連付けられているＷＴＲＵにアクセスすることができる。これは、ＷＴＲＵによるＢＳアクセスに類似した単一段階のアプローチであると言える。この例においては、ページングを示すためにＮＣＩおよびＰＩＭメッセージを使用することができる。
【０１０７】
ＮＣＩの例示的な送信は、ＰＩＭ送信を含むことができる。この例においては、ＮＣＩのパーティショニングを実行することができる。ＮＣＩを２つのサブパケット、たとえば、Ｉ−ＮＣＩ（Ｉｎｉｔｉａｌ  Ｎｅｔｗｏｒｋ  Ｃｏｎｆｉｇｕｒａｔｉｏｎ  Ｉｎｆｏｒｍａｔｉｏｎ）およびＳ−ＮＣＩ（Ｓｕｐｐｌｅｍｅｎｔａｌ  Ｎｅｔｗｏｒｋ  Ｃｏｎｆｉｇｕｒａｔｉｏｎ  Ｉｎｆｏｒｍａｔｉｏｎ）へと分割することができる。
【０１０８】
Ｉ−ＮＣＩは最初に、転送を行うＷＴＲＵによって送信されるＳＡプリアンブルのＳＡプリアンブルインデックス、（Ｉｄｘ）、およびサブキャリアセットインデックス、（ｎ）から特定することができる自分のロケーションとともに送信されることが可能である。Ｉ−ＮＣＩのコンテンツの一例が、テーブル１において示されている。Ｓ−ＮＣＩのコンテンツの一例が、テーブル２において示されている。Ｓ−ＮＣＩのロケーションは、Ｉ−ＮＣＩにおいて指定することができる。
【０１０９】
【表１−１】
0005607842.tif 000002
【０１１０】
【表１−２】
0005607842.tif 000003
【０１１１】
【表２−１】
0005607842.tif 000004
【０１１２】
【表２−２】
0005607842.tif 000005
【０１１３】
Ｉ−ＮＣＩは、スーパーフレームの第１のサブフレーム内のＮＩ−ＮＣＩ  ＤＬＲＵ（
Ｄｉｓｔｒｉｂｕｔｅｄ  Ｌｏｇｉｃａｌ  Ｒｅｓｏｕｒｃｅ  Ｕｎｉｔ）内に含めて送信することができる。特定のリソースインデックスは、転送を行うＷＴＲＵによって送信されるＳＡプリアンブルから特定することができる場合がある。選択されたサブフレーム内では、Ｉ−ＮＣＩは、最後の５個のＯＦＤＭシンボルを占めることができ、したがって、効果的にタイプ３サブフレームが形成される。
【０１１４】
Ｓ−ＮＣＩに関するリソース割り当ては、テーブル１において示されているように、Ｉ−ＮＣＩにおいて定義することができ、その割り当ては、サービングＢＳ／ＲＳのＩＤＣｅｌｌおよびフレーム構成に依存することができる。ページングインジケータは、Ｉ−ＮＣＩ、Ｓ−ＮＣＩ内に、または別個のＰＩＭメッセージ内に含めることができる。ＰＩＭのロケーションは、Ｉ−ＮＣＩにおいて、またはＳ−ＮＣＩにおいて示すことができる。テーブル１および２は、ロケーションがＳ−ＮＣＩにおいて通知される例を示している。この例においては、特定のコードグループをそれぞれのＰＩに割り当てることができる。
【０１１５】
テーブル３は、ＰＩＭメッセージに関する例示的なフォーマットを示している。
【０１１６】
【表３】
0005607842.tif 000006
【０１１７】
実施形態
１．ＷＴＲＵ（ｗｉｒｅｌｅｓｓ  ｔｒａｎｓｍｉｔ／ｒｅｃｅｉｖｅ  ｕｎｉｔ）であって、
少なくとも１つの第２のＷＴＲＵから、少なくとも１つの第２のＷＴＲＵに関連付けられているグループＩＤ（ｉｄｅｎｔｉｆｉｃａｔｉｏｎ）を示すメッセージを受信し、
少なくとも１つの第２のＷＴＲＵから、ＮＣＩ（ｎｅｔｗｏｒｋ  ｃｏｎｎｅｃｔｉｏｎ  ｉｎｆｏｒｍａｔｉｏｎ）を含む第２のメッセージを受信する
ように構成されている受信機と、
アクセス信号を少なくとも１つの第２のＷＴＲＵへ送信するように構成されている送信機とを含むことを特徴とするＷＴＲＵ。
２．第１のメッセージは、プリアンブルであることを特徴とする実施形態１に記載のＷＴＲＵ。
３．プリアンブルは、ＳＡ（ｓｅｃｏｎｄａｒｙ  ａｄｖａｎｃｅｄ）プリアンブルであることを特徴とする実施形態２に記載のＷＴＲＵ。
４．受信機は、ＰＩ（ｐａｇｉｎｇ  ｉｎｄｉｃａｔｏｒ）を含む第３のメッセージを受信するようにさらに構成されていることを特徴とする前記実施形態のいずれか１つに記載のＷＴＲＵ。
５．送信機は、受信されたＰＩが、ＷＴＲＵに関連付けられているＩＤを含むという条件で、アクセス信号を送信するように構成されていることを特徴とする実施形態４に記載のＷＴＲＵ。
６．アクセス信号は、レンジングプリアンブルであることを特徴とする前記実施形態のいずれか１つに記載のＷＴＲＵ。
７．レンジングプリアンブルは、少なくとも１つの第２のＷＴＲＵに関連付けられているグループＩＤを含むことを特徴とする実施形態６に記載のＷＴＲＵ。
８．受信機は、構成メッセージを受信するようにさらに構成されていることを特徴とする実施形態４〜７のいずれか１つに記載のＷＴＲＵ。
９．構成メッセージは、ＷＴＲＵに関連付けられているＰＩを示すことを特徴とする実施形態８に記載のＷＴＲＵ。
１０．送信機は、送信パワーランピング手順を使用してアクセス信号を送信するようにさらに構成されていることを特徴とする前記実施形態のいずれか１つに記載のＷＴＲＵ。
１１．受信機は、第２のＮＣＩメッセージを少なくとも１つの第２のＷＴＲＵから受信するようにさらに構成されていることを特徴とする前記実施形態のいずれか１つに記載のＷＴＲＵ。
１２．第２のＮＣＩメッセージは、ＷＴＲＵ  ＩＤを含むことを特徴とする実施形態１１に記載のＷＴＲＵ。
１３．ＷＴＲＵ  ＩＤは、送信側ＷＴＲＵに関連付けられていることを特徴とする実施形態１２に記載のＷＴＲＵ。
１４．送信機は、第２のアクセス信号を、ＷＴＲＵ  ＩＤに関連付けられているＷＴＲＵへ送信するようにさらに構成されていることを特徴とする前記実施形態のいずれか１つに記載のＷＴＲＵ。
１５．第２のアクセス信号は、受信された第２のＮＣＩメッセージに応答して送信されることを特徴とする実施形態１４に記載のＷＴＲＵ。
１６．第２のアクセス信号は、第２のレンジングプリアンブルであることを特徴とする実施形態１４または１５のいずれか１つに記載のＷＴＲＵ。
１７．第２のアクセス信号は、送信側ＷＴＲＵに関連付けられているＷＴＲＵ  ＩＤを示すことを特徴とする実施形態１４〜１６のいずれか１つに記載のＷＴＲＵ。
１８．ＷＴＲＵ（ｗｉｒｅｌｅｓｓ  ｔｒａｎｓｍｉｔ／ｒｅｃｅｉｖｅ  ｕｎｉｔ）において使用するための方法であって、
少なくとも１つの第２のＷＴＲＵから、その少なくとも１つの第２のＷＴＲＵに関連付けられているグループＩＤ（ｉｄｅｎｔｉｆｉｃａｔｉｏｎ）を示すメッセージを受信するステップと、
少なくとも１つの第２のＷＴＲＵから、ＮＣＩ（ｎｅｔｗｏｒｋ  ｃｏｎｎｅｃｔｉｏｎ  ｉｎｆｏｒｍａｔｉｏｎ）を含む第２のメッセージを受信するステップと、
アクセス信号を少なくとも１つの第２のＷＴＲＵへ送信するステップと
を含むことを特徴とする方法。
１９．第１のメッセージは、プリアンブルであることを特徴とする実施形態１８に記載の方法。
２０．プリアンブルは、ＳＡ（ｓｅｃｏｎｄａｒｙ  ａｄｖａｎｃｅｄ）プリアンブルであることを特徴とする実施形態１９に記載の方法。
２１．ＰＩ（ｐａｇｉｎｇ  ｉｎｄｉｃａｔｏｒ）を含む第３のメッセージを受信するステップ
をさらに含むことを特徴とする実施形態１８〜２０のいずれか１つに記載の方法。
２２．アクセス信号は、受信されたＰＩが、ＷＴＲＵに関連付けられているＩＤを含むという条件で送信されることを特徴とする実施形態２１に記載の方法。
２３．アクセス信号は、レンジングプリアンブルであることを特徴とする実施形態１８〜２２のいずれか１つに記載の方法。
２４．レンジングプリアンブルは、少なくとも１つの第２のＷＴＲＵに関連付けられているグループＩＤを含むことを特徴とする実施形態２３に記載の方法。
２５．構成メッセージを受信するステップ
をさらに含むことを特徴とする実施形態２１〜２４のいずれか１つに記載の方法。
２６．構成メッセージは、ＷＴＲＵに関連付けられているＰＩを示すことを特徴とする実施形態２５に記載の方法。
２７．送信機は、送信パワーランピング手順を使用してアクセス信号を送信するようにさらに構成されていることを特徴とする実施形態１８〜２６のいずれか１つに記載の方法。
２８．第２のＮＣＩメッセージを少なくとも１つの第２のＷＴＲＵから受信するステップ
をさらに含むことを特徴とする実施形態１８〜２７のいずれか１つに記載の方法。
２９．第２のＮＣＩメッセージは、ＷＴＲＵ  ＩＤを含むことを特徴とする実施形態２８に記載の方法。
３０．ＷＴＲＵ  ＩＤは、送信側ＷＴＲＵに関連付けられていることを特徴とする実施形態２９に記載の方法。
３１．第２のアクセス信号を、ＷＴＲＵ  ＩＤに関連付けられているＷＴＲＵへ送信するステップ
をさらに含むことを特徴とする実施形態１８〜３０のいずれか１つに記載の方法。
３２．第２のアクセス信号は、受信された第２のＮＣＩメッセージに応答して送信されることを特徴とする実施形態３１に記載の方法。
３３．第２のアクセス信号は、第２のレンジングプリアンブルであることを特徴とする実施形態３１または３２に記載の方法。
３４．第２のアクセス信号は、送信側ＷＴＲＵに関連付けられているＷＴＲＵ  ＩＤを示すことを特徴とする実施形態３１〜３３のいずれか１つに記載の方法。
３５．ＷＴＲＵ（ｗｉｒｅｌｅｓｓ  ｔｒａｎｓｍｉｔ／ｒｅｃｅｉｖｅ  ｕｎｉｔ）であって、
ＷＴＲＵに関連付けられているグループＩＤ（ｉｄｅｎｔｉｆｉｃａｔｉｏｎ）を示すメッセージを送信し、
ＮＣＩ（ｎｅｔｗｏｒｋ  ｃｏｎｎｅｃｔｉｏｎ  ｉｎｆｏｒｍａｔｉｏｎ）を含む第１のメッセージを送信する
ように構成されている送信機と、
アクセス信号を受信するように構成されている受信機と
を含むことを特徴とするＷＴＲＵ。
３６．メッセージは、プリアンブルであることを特徴とする実施形態３５に記載のＷＴＲＵ。
３７．プリアンブルは、ＳＡ（ｓｅｃｏｎｄａｒｙ  ａｄｖａｎｃｅｄ）プリアンブルであることを特徴とする実施形態３６に記載のＷＴＲＵ。
３８．アクセス信号は、レンジングプリアンブルであることを特徴とする実施形態３５〜３７のいずれか１つに記載のＷＴＲＵ。
３９．送信機は、ＰＩ（ｐａｇｉｎｇ  ｉｎｄｉｃａｔｏｒ）を含む第２のメッセージを送信するようにさらに構成されていることを特徴とする実施形態３５〜３８のいずれか１つに記載のＷＴＲＵ。
４０．レンジングプリアンブルは、ＷＴＲＵに関連付けられているグループＩＤを含むことを特徴とする実施形態３９に記載のＷＴＲＵ。
４１．送信機は、第２のＮＣＩメッセージを送信するようにさらに構成されていることを特徴とする実施形態３５〜４０のいずれか１つに記載のＷＴＲＵ。
４２．第２のＮＣＩメッセージは、ＷＴＲＵに関連付けられているＷＴＲＵ  ＩＤを含むことを特徴とする実施形態４１に記載のＷＴＲＵ。
４３．受信機は、第２のアクセス信号を受信するようにさらに構成されていることを特徴とする実施形態４２に記載のＷＴＲＵ。
４４．第２のアクセス信号は、第２のレンジングプリアンブルであることを特徴とする実施形態４３に記載のＷＴＲＵ。
４５．第２のアクセス信号は、第２のＮＣＩメッセージに応答して受信されることを特徴とする実施形態４３または４４に記載のＷＴＲＵ。
４６．第２のアクセス信号は、ＷＴＲＵに関連付けられているＷＴＲＵ  ＩＤを示すことを特徴とする実施形態４３〜４５のいずれか１つに記載のＷＴＲＵ。
４７．ＷＴＲＵ（ｗｉｒｅｌｅｓｓ  ｔｒａｎｓｍｉｔ／ｒｅｃｅｉｖｅ  ｕｎｉｔ）であって、
ＷＴＲＵに関連付けられているグループＩＤ（ｉｄｅｎｔｉｆｉｃａｔｉｏｎ）を示すメッセージを送信し、
ＮＣＩ（ｎｅｔｗｏｒｋ  ｃｏｎｎｅｃｔｉｏｎ  ｉｎｆｏｒｍａｔｉｏｎ）を含む第１のメッセージを送信する
ように構成されている送信機と、
アクセス信号を受信するように構成されている受信機と
を含むことを特徴とするＷＴＲＵ。
４８．メッセージは、プリアンブルであることを特徴とする実施形態４７に記載のＷＴＲＵ。
４９．プリアンブルは、ＳＡ（ｓｅｃｏｎｄａｒｙ  ａｄｖａｎｃｅｄ）プリアンブルであることを特徴とする実施形態４８に記載のＷＴＲＵ。
５０．アクセス信号は、レンジングプリアンブルであることを特徴とする実施形態４７〜４９のいずれか１つに記載のＷＴＲＵ。
５１．送信機は、ＰＩ（ｐａｇｉｎｇ  ｉｎｄｉｃａｔｏｒ）を含む第２のメッセージを送信するようにさらに構成されていることを特徴とする実施形態４７〜５０のいずれか１つに記載のＷＴＲＵ。
５２．レンジングプリアンブルは、ＷＴＲＵに関連付けられているグループＩＤを含むことを特徴とする実施形態５１に記載のＷＴＲＵ。
５３．送信機は、第２のＮＣＩメッセージを送信するようにさらに構成されていることを特徴とする実施形態４７〜５２のいずれか１つに記載のＷＴＲＵ。
５４．第２のＮＣＩメッセージは、ＷＴＲＵに関連付けられているＷＴＲＵ  ＩＤを含むことを特徴とする実施形態５３に記載のＷＴＲＵ。
５５．受信機は、第２のアクセス信号を受信するようにさらに構成されていることを特徴とする実施形態５４に記載のＷＴＲＵ。
５６．第２のアクセス信号は、第２のレンジングプリアンブルであることを特徴とする実施形態５５に記載のＷＴＲＵ。
５７．第２のアクセス信号は、第２のＮＣＩメッセージに応答して受信されることを特徴とする実施形態５４または５５に記載のＷＴＲＵ。
５８．第２のアクセス信号は、ＷＴＲＵに関連付けられているＷＴＲＵ  ＩＤを示すことを特徴とする実施形態５３〜５７のいずれか１つに記載のＷＴＲＵ。
【０１１８】
上記では特徴および要素について特定の組合せで説明しているが、それぞれの特徴または要素は、単独で、またはその他の特徴および要素との任意の組合せで使用することができるということを当業者なら理解するであろう。加えて、本明細書に記載されている方法は、コンピュータまたはプロセッサによって実行するためにコンピュータ可読メディア内に組み込まれているコンピュータプログラム、ソフトウェア、またはファームウェアで実装することができる。コンピュータ可読メディアの例としては、（有線接続またはワイヤレス接続を介して伝送される）電子信号、およびコンピュータ可読ストレージメディアが含まれる。コンピュータ可読ストレージメディアの例としては、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、レジスタ、キャッシュメモリ、半導体メモリデバイス、内蔵ハードディスクおよび取り外し可能ディスクなどの磁気メディア、光磁気メディア、ならびに、ＣＤ−ＲＯＭディスクおよびＤＶＤ（ｄｉｇｉｔａｌ  ｖｅｒｓａｔｉｌｅ  ｄｉｓｋ）などの光メディアが含まれるが、それらには限定されない。ソフトウェアと関連付けられているプロセッサは、ＷＴＲＵ、ＵＥ、端末、基地局、ＲＮＣ、または任意のホストコンピュータにおいて使用するための無線周波数トランシーバを実装するために使用することができる。
【図１Ａ】
0005607842.tif 000007
【図１Ｂ】
0005607842.tif 000008
【図１Ｃ】
0005607842.tif 000009
【図２】
0005607842.tif 000010
【図３】
0005607842.tif 000011
【図４】
0005607842.tif 000012
【図５】
0005607842.tif 000013
【図６Ａ】
0005607842.tif 000014
【図６Ｂ】
0005607842.tif 000015
【図７】
0005607842.tif 000016
【図８】
0005607842.tif 000017